(57)【要約】【課題】互いに異なる複数の組織による画像形成装置の共有を可能としつつ、異なる組織のユーザーに印刷物が見られてしまうことを抑制できる画像形成装置を提供する。【解決手段】画像形成装置２は、第１のネットワーク３に接続される機器５ａと、第２のネットワーク４に接続される機器５ｂのそれぞれと通信を行うことが可能な通信部１０と、第１及び第２のネットワーク３，４のそれぞれから受信するジョブに基づいて印刷出力を行うプリンタ部１７と、プリンタ部１７によって出力された印刷物が未回収状態であることを検知する用紙検知センサ１４と、第１及び第２のネットワーク３，４のうちの一方から受信したジョブに基づいて印刷出力が開始された後、印刷物が未回収状態であることが検知されている期間において、第１及び第２のネットワーク３，４のうちの他方から受信するジョブの実行を規制する規制部２３と、を備える構成である。【選択図】図２
2020032573.tif 000002
【特許請求の範囲】
【請求項１】
第１のネットワークに接続される機器と、前記第１のネットワークとは異なる第２のネットワークに接続される機器のそれぞれと通信を行うことが可能な通信手段と、
前記第１及び第２のネットワークのそれぞれから受信するジョブに基づいて印刷出力を行う印刷手段と、
前記印刷手段によって出力された印刷物が未回収状態であることを検知する検知手段と、
前記第１及び第２のネットワークのうちの一方から受信したジョブに基づいて前記印刷手段による印刷出力が開始された後、前記検知手段によって印刷物が未回収状態であることが検知されている期間において、前記第１及び第２のネットワークのうちの他方から受信するジョブの実行を規制する制御手段と、
を備えることを特徴とする画像形成装置。
【請求項２】
前記通信手段は、
前記第１のネットワークに接続される機器と通信を行う第１の通信手段と、
前記第２のネットワークに接続される機器と通信を行う第２の通信手段と、
を備えることを特徴とする請求項１に記載の画像形成装置。
【請求項３】
前記制御手段は、前記第１及び第２のネットワークのうちの一方から受信したジョブに基づいて前記印刷手段による印刷出力が開始された後、前記検知手段によって印刷物が未回収状態であることが検知されている期間において、前記第１及び第２のネットワークのうちの他方から受信するジョブを受け付けないことを特徴とする請求項１又は２に記載の画像形成装置。
【請求項４】
前記制御手段は、前記第１及び第２のネットワークのうちの一方から受信したジョブに基づいて前記印刷手段による印刷出力が開始されることに伴い、前記第１及び第２のネットワークのうちの他方から受信するジョブの送信を待機させる待機命令を送信することを特徴とする請求項１乃至３にいずれかに記載の画像形成装置。
【請求項５】
前記制御手段は、前記検知手段によって印刷物が回収されたことが検知された後、前記第１及び第２のネットワークのうちの他方から受信するジョブを受け付けることを特徴とする請求項１乃至４のいずれかに記載の画像形成装置。
【請求項６】
前記制御手段は、前記第１及び第２のネットワークのうちの一方から受信したジョブに基づいて前記印刷手段による印刷出力が開始された後、前記検知手段によって印刷物が未回収状態であることが検知されている期間において、前記第１及び第２のネットワークのうちの他方からジョブを受信した場合、当該受信ジョブを予約ジョブとして受け付けることを特徴とする請求項１又は２に記載の画像形成装置。
【請求項７】
前記制御手段は、前記検知手段によって印刷物が回収されたことが検知された場合に、前記予約ジョブに基づく印刷出力を許可することを特徴とする請求項６に記載の画像形成装置。
【請求項８】
前記制御手段は、前記予約ジョブに基づく印刷出力が開始された後、前記第１及び第２のネットワークのうちの他方を介して前記予約ジョブの送信元の機器に対してジョブ実行通知を送信することを特徴とする請求項７に記載の画像形成装置。
【請求項９】
前記制御手段は、前記第１及び第２のネットワークのうちの一方から受信したジョブに基づいて前記印刷手段による印刷出力が開始された後、前記検知手段によって印刷物が未回収状態であることが検知されているとき、前記第１及び第２のネットワークのうちの一方を介してジョブの送信元の機器に印刷物回収の第１の催促を行うことを特徴とする請求項１乃至８のいずれかに記載の画像形成装置。
【請求項１０】
前記制御手段は、前記第１及び第２のネットワークのうちの一方から受信したジョブに基づいて前記印刷手段による印刷出力が開始された後、前記検知手段によって印刷物が未回収状態であることが検知されているとき、前記第１及び第２のネットワークのうちの一方に接続される複数の機器に対して印刷物回収の第１の催促を行うことを特徴とする請求項１乃至９のいずれかに記載の画像形成装置。
【請求項１１】
前記制御手段は、前記第１の催促を行った後、前記検知手段によって印刷物が回収されたことが所定時間以内に検知されないとき、前記第１の催促とは表示態様が異なる第２の催促を再度行うことを特徴とする請求項９又は１０に記載の画像形成装置。
【請求項１２】
前記制御手段は、前記第１の催促を行った後、前記検知手段によって印刷物が回収されたことが所定時間以内に検知されないとき、予め指定された通知先に通信を行うことを特徴とする請求項９乃至１１のいずれかに記載の画像形成装置。
【請求項１３】
前記制御手段は、前記第１の催促を行った後、前記検知手段によって印刷物が回収されたことが所定時間以内に検知されないとき、前記第１及び第２のネットワークのうちのの他方から受信するジョブの実行の規制を解除することを特徴とする請求項９乃至１２のいずれかに記載の画像形成装置。
【請求項１４】
前記制御手段は、前記第１及び第２のネットワークのうちの他方から受信するジョブの実行の規制を解除することに伴い、前記第１及び第２のネットワークのうちの一方から受信したジョブに基づく印刷物が未回収であることを通知することを特徴とする請求項１３に記載の画像形成装置。
【請求項１５】
前記制御手段は、前記第１及び第２のネットワークのそれぞれを介して、前記第１及び第２のネットワークのそれぞれに接続される機器に、ジョブに関するステータス通知を表示させることを特徴とする請求項１乃至１４のいずれかに記載の画像形成装置。
【請求項１６】
原稿を読み取って画像データを生成する原稿読取手段、
を更に備え、
前記印刷手段は、前記原稿読取手段によって生成される画像データに基づいて印刷出力を行うことが可能であり、
前記制御手段は、前記原稿読取手段によって生成される画像データに基づいて前記印刷手段による印刷出力が開始された後、前記検知手段によって印刷物が未回収状態であることが検知されている期間において、前記第１及び第２のネットワークのそれぞれから受信するジョブの実行を規制することを特徴とする請求項１乃至１５のいずれかに記載の画像形成装置。
【請求項１７】
前記制御手段は、前記検知手段によって画像データに基づく印刷物が回収されたことが検知された場合に、前記第１及び第２のネットワークのそれぞれから受信するジョブの実行の規制を解除することを特徴とする請求項１６に記載の画像形成装置。
【請求項１８】
前記制御手段は、前記検知手段によって画像データに基づく印刷物が未回収状態であることが検知されているとき、前記第１及び第２のネットワークのそれぞれを介して印刷物回収の催促を行うことを特徴とする請求項１６又は１７に記載の画像形成装置。
【請求項１９】
前記制御手段は、前記第１及び第２のネットワークのそれぞれから受信するジョブの実行を規制しているとき、前記第１及び第２のネットワークのそれぞれから受信するジョブを予約ジョブとして受け付け、前記検知手段によって画像データに基づく印刷物が回収されたことが検知された後に、当該予約ジョブに基づく印刷出力を開始することを特徴とする請求項１６乃至１８のいずれかに記載の画像形成装置。
【請求項２０】
各種情報を表示する表示手段、
を更に備え、
前記制御手段は、前記表示手段に、ジョブに関するステータス通知を表示させることを特徴とする請求項１乃至１９のいずれかに記載の画像形成装置。
【請求項２１】
第１のネットワークに接続される機器と、前記第１のネットワークとは異なる第２のネットワークに接続される機器のそれぞれと通信を行うことが可能な通信手段と、
前記第１及び第２のネットワークのそれぞれから受信するジョブに基づいて印刷出力を行う印刷手段と、
前記印刷手段によって出力された印刷物が未回収状態であることを検知する検知手段と、を備える画像形成装置において行われるプログラムであって、
前記画像形成装置に、
前記検知手段によって印刷物が未回収状態であることが検知されていないときに、前記第１及び第２のネットワークのうちの一方からジョブを受信した場合、当該ジョブに基づいて前記印刷手段による印刷出力を開始させる第１ステップと、
前記印刷手段による印刷出力が開始された後、前記検知手段によって印刷物が未回収状態であることが検知されている期間において、前記第１及び第２のネットワークのうちの他方から受信するジョブの実行を規制する第２ステップと、
を実行させることを特徴とするプログラム。
【請求項２２】
前記通信手段は、
前記第１のネットワークに接続される機器と通信を行う第１の通信手段と、
前記第２のネットワークに接続される機器と通信を行う第２の通信手段と、
を備えることを特徴とする請求項２１に記載のプログラム。
【請求項２３】
前記第２ステップは、前記検知手段によって印刷物が未回収状態であることが検知されている期間において、前記第１及び第２のネットワークのうちの他方から受信するジョブを受け付けないことを特徴とする請求項２１又は２２に記載のプログラム。
【請求項２４】
前記第２ステップは、前記検知手段によって印刷物が未回収状態であることが検知されている期間において、前記第１及び第２のネットワークのうちの他方からジョブを受信した場合、当該受信ジョブを予約ジョブとして受け付けることを特徴とする請求項２１又は２２に記載のプログラム。
【請求項２５】
前記画像形成装置に、
前記検知手段によって印刷物が回収されたことが検知された場合に、前記第１及び第２のネットワークのうちの他方から受信するジョブの実行の規制を解除する第３ステップ、
をさらに実行させることを特徴とする請求項２１乃至２４のいずれかに記載のプログラム。
【発明の詳細な説明】
【技術分野】
【０００１】
本発明は、画像形成装置及びプログラムに関し、特に複数のネットワークのそれぞれからジョブを受信して印刷出力を行うことが可能な画像形成装置を制御する技術に関する。
【背景技術】
【０００２】
従来、外部ネットワークと内部ネットワークとを切り分けるためのネットワーク転換端末として、１つの端末に２つのＬＡＮカードを設置し、一方のＬＡＮカードを外部ネットワークに接続し、他方のＬＡＮカードを内部ネットワークに接続したものが知られている（例えば特許文献１）。この従来のネットワーク転換装置は、ボタン操作に応じて、一方のＬＡＮカードを活性化させると共に、他方のＬＡＮカードを不活性化させるスイッチング処理部を備えており、一方のＬＡＮカードを活性化させているときには、他方のＬＡＮカードを介したデータの送受信を行わないようにしている。このようなネットワーク転換端末によれば、内部ネットワークを外部ネットワークから遮断することができるため、秘密情報の漏洩などを未然に防ぐことができる。
【０００３】
ところで、近年、プリント機能を備えるＭＦＰ（Multifunction Peripherals）などの画像形成装置は、複数の企業や団体などによって共有して利用されることがある。例えばＳＯＨＯと呼ばれるような小規模事業者が多数入居するオフィスビルでは、１台の画像形成装置が複数の組織（企業や団体など）によって共有して利用されることが多い。
【０００４】
このように複数の組織によって１台の画像形成装置が共有される場合、画像形成装置は、上述したネットワーク転換端末と同様に、複数のＬＡＮカードを備え、組織毎にネットワークを切り分けた状態で使用されるのが一般的である。予めネットワークを切り分けておくことにより、画像形成装置を共有する複数の組織の間で情報が流出してしまうことを防止できるからである。したがって、画像形成装置は、それら複数のネットワークのそれぞれから個別に受信するジョブに基づいて印刷出力を行うことが可能なように構成される。
【０００５】
画像形成装置は、複数のネットワークのいずれかからジョブを受信して印刷出力を行うと、装置本体に設けられる排紙トレイ上へ印刷物を排出する。そのため、ジョブを送信したユーザーは、画像形成装置の設置場所まで移動することにより印刷物を回収することができる。
【０００６】
しかしながら、画像形成装置が排紙トレイ上へ排出した印刷物はユーザーによって回収されることなく、放置されることがある。その場合、別のネットワークのユーザーによってジョブが送信され、画像形成装置において印刷出力が行われると、排紙トレイ上に放置されている印刷物が別のネットワークのユーザーに見られてしまう可能性がある。例えば、印刷物に秘密情報が含まれる場合、印刷物が別のネットワークのユーザーに見られてしまうことによって秘密情報が流出してしまう可能性があり、問題となる。特に、このような問題は、上述した従来技術のように、ボタン操作に応じて一方のＬＡＮカードを活性化させ、他方のＬＡＮカードを不活性化させるだけでは解決することができないため、より良い解決手法が望まれている。
【先行技術文献】
【特許文献】
【０００７】
【特許文献１】特開２０１４−４９１３２号公報
【発明の概要】
【発明が解決しようとする課題】
【０００８】
本発明は、上記課題を解決するためになされたものであり、互いに異なる複数の組織による共有を可能としつつ、異なる組織のユーザーに印刷物が見られてしまうことを抑制できるようにした画像処理装置及びプログラムを提供することを目的とする。
【課題を解決するための手段】
【０００９】
上記目的を達成するため、請求項１に係る発明は、画像形成装置であって、第１のネットワークに接続される機器と、前記第１のネットワークとは異なる第２のネットワークに接続される機器のそれぞれと通信を行うことが可能な通信手段と、前記第１及び第２のネットワークのそれぞれから受信するジョブに基づいて印刷出力を行う印刷手段と、前記印刷手段によって出力された印刷物が未回収状態であることを検知する検知手段と、前記第１及び第２のネットワークのうちの一方から受信したジョブに基づいて前記印刷手段による印刷出力が開始された後、前記検知手段によって印刷物が未回収状態であることが検知されている期間において、前記第１及び第２のネットワークのうちの他方から受信するジョブの実行を規制する制御手段と、を備えることを特徴とする構成である。
【００１０】
請求項２に係る発明は、請求項１に記載の画像形成装置において、前記通信手段は、前記第１のネットワークに接続される機器と通信を行う第１の通信手段と、前記第２のネットワークに接続される機器と通信を行う第２の通信手段と、を備えることを特徴とする構成である。
【００１１】
請求項３に係る発明は、請求項１又は２に記載の画像形成装置において、前記制御手段は、前記第１及び第２のネットワークのうちの一方から受信したジョブに基づいて前記印刷手段による印刷出力が開始された後、前記検知手段によって印刷物が未回収状態であることが検知されている期間において、前記第１及び第２のネットワークのうちの他方から受信するジョブを受け付けないことを特徴とする構成である。
【００１２】
請求項４に係る発明は、請求項１乃至３のいずれかに記載の画像形成装置において、前記制御手段は、前記第１及び第２のネットワークのうちの一方から受信したジョブに基づいて前記印刷手段による印刷出力が開始されることに伴い、前記第１及び第２のネットワークのうちの他方から受信するジョブの送信を待機させる待機命令を送信することを特徴とする構成である。
【００１３】
請求項５に係る発明は、請求項１乃至４のいずれかに記載の画像形成装置において、前記制御手段は、前記検知手段によって印刷物が回収されたことが検知された後、前記第１及び第２のネットワークのうちの他方から受信するジョブを受け付けることを特徴とする構成である。
【００１４】
請求項６に係る発明は、請求項１又は２に記載の画像形成装置において、前記制御手段は、前記第１及び第２のネットワークのうちの一方から受信したジョブに基づいて前記印刷手段による印刷出力が開始された後、前記検知手段によって印刷物が未回収状態であることが検知されている期間において、前記第１及び第２のネットワークのうちの他方からジョブを受信した場合、当該受信ジョブを予約ジョブとして受け付けることを特徴とする構成である。
【００１５】
請求項７に係る発明は、請求項６に記載の画像形成装置において、前記制御手段は、前記検知手段によって印刷物が回収されたことが検知された場合に、前記予約ジョブに基づく印刷出力を許可することを特徴とする構成である。
【００１６】
請求項８に係る発明は、請求項７に記載の画像形成装置において、前記制御手段は、前記予約ジョブに基づく印刷出力が開始された後、前記第１及び第２のネットワークのうちの他方を介して前記予約ジョブの送信元の機器に対してジョブ実行通知を送信することを特徴とする構成である。
【００１７】
請求項９に係る発明は、請求項１乃至８のいずれかに記載の画像形成装置において、前記制御手段は、前記第１及び第２のネットワークのうちの一方から受信したジョブに基づいて前記印刷手段による印刷出力が開始された後、前記検知手段によって印刷物が未回収状態であることが検知されているとき、前記第１及び第２のネットワークのうちの一方を介してジョブの送信元の機器に印刷物回収の第１の催促を行うことを特徴とする構成である。
【００１８】
請求項１０に係る発明は、請求項１乃至９のいずれかに記載の画像形成装置において、前記制御手段は、前記第１及び第２のネットワークのうちの一方から受信したジョブに基づいて前記印刷手段による印刷出力が開始された後、前記検知手段によって印刷物が未回収状態であることが検知されているとき、前記第１及び第２のネットワークのうちの一方に接続される複数の機器に対して印刷物回収の第１の催促を行うことを特徴とする構成である。
【００１９】
請求項１１に係る発明は、請求項９又は１０に記載の画像形成装置において、前記制御手段は、前記第１の催促を行った後、前記検知手段によって印刷物が回収されたことが所定時間以内に検知されないとき、前記第１の催促とは表示態様が異なる第２の催促を再度行うことを特徴とする構成である。
【００２０】
請求項１２に係る発明は、請求項９乃至１１のいずれかに記載の画像形成装置において、前記制御手段は、前記第１の催促を行った後、前記検知手段によって印刷物が回収されたことが所定時間以内に検知されないとき、予め指定された通知先に通信を行うことを特徴とする構成である。
【００２１】
請求項１３に係る発明は、請求項９乃至１２のいずれかに記載の画像形成装置において、前記制御手段は、前記第１の催促を行った後、前記検知手段によって印刷物が回収されたことが所定時間以内に検知されないとき、前記第１及び第２のネットワークのうちのの他方から受信するジョブの実行の規制を解除することを特徴とする構成である。
【００２２】
請求項１４に係る発明は、請求項１３に記載の画像形成装置において、前記制御手段は、前記第１及び第２のネットワークのうちの他方から受信するジョブの実行の規制を解除することに伴い、前記第１及び第２のネットワークのうちの一方から受信したジョブに基づく印刷物が未回収であることを通知することを特徴とする構成である。
【００２３】
請求項１５に係る発明は、請求項１乃至１４のいずれかに記載の画像形成装置において、前記制御手段は、前記第１及び第２のネットワークのそれぞれを介して、前記第１及び第２のネットワークのそれぞれに接続される機器に、ジョブに関するステータス通知を表示させることを特徴とする構成である。
【００２４】
請求項１６に係る発明は、請求項１乃至１５のいずれかに記載の画像形成装置において、原稿を読み取って画像データを生成する原稿読取手段、を更に備え、前記印刷手段は、前記原稿読取手段によって生成される画像データに基づいて印刷出力を行うことが可能であり、前記制御手段は、前記原稿読取手段によって生成される画像データに基づいて前記印刷手段による印刷出力が開始された後、前記検知手段によって印刷物が未回収状態であることが検知されている期間において、前記第１及び第２のネットワークのそれぞれから受信するジョブの実行を規制することを特徴とする構成である。
【００２５】
請求項１７に係る発明は、請求項１６に記載の画像形成装置において、前記制御手段は、前記検知手段によって画像データに基づく印刷物が回収されたことが検知された場合に、前記第１及び第２のネットワークのそれぞれから受信するジョブの実行の規制を解除することを特徴とする構成である。
【００２６】
請求項１８に係る発明は、請求項１６又は１７に記載の画像形成装置において、前記制御手段は、前記検知手段によって画像データに基づく印刷物が未回収状態であることが検知されているとき、前記第１及び第２のネットワークのそれぞれを介して印刷物回収の催促を行うことを特徴とする構成である。
【００２７】
請求項１９に係る発明は、請求項１６乃至１８のいずれかに記載の画像形成装置において、前記制御手段は、前記第１及び第２のネットワークのそれぞれから受信するジョブの実行を規制しているとき、前記第１及び第２のネットワークのそれぞれから受信するジョブを予約ジョブとして受け付け、前記検知手段によって画像データに基づく印刷物が回収されたことが検知された後に、当該予約ジョブに基づく印刷出力を開始することを特徴とする構成である。
【００２８】
請求項２０に係る発明は、請求項１乃至１９のいずれかに記載の画像形成装置において、各種情報を表示する表示手段、を更に備え、前記制御手段は、前記表示手段に、ジョブに関するステータス通知を表示させることを特徴とする構成である。
【００２９】
請求項２１に係る発明は、第１のネットワークに接続される機器と、前記第１のネットワークとは異なる第２のネットワークに接続される機器のそれぞれと通信を行うことが可能な通信手段と、前記第１及び第２のネットワークのそれぞれから受信するジョブに基づいて印刷出力を行う印刷手段と、前記印刷手段によって出力された印刷物が未回収状態であることを検知する検知手段と、を備える画像形成装置において行われるプログラムであって、前記画像形成装置に、前記検知手段によって印刷物が未回収状態であることが検知されていないときに、前記第１及び第２のネットワークのうちの一方からジョブを受信した場合、当該ジョブに基づいて前記印刷手段による印刷出力を開始させる第１ステップと、前記印刷手段による印刷出力が開始された後、前記検知手段によって印刷物が未回収状態であることが検知されている期間において、前記第１及び第２のネットワークのうちの他方から受信するジョブの実行を規制する第２ステップと、を実行させることを特徴とする構成である。
【００３０】
請求項２２に係る発明は、請求項２１に記載のプログラムにおいて、前記通信手段は、前記第１のネットワークに接続される機器と通信を行う第１の通信手段と、前記第２のネットワークに接続される機器と通信を行う第２の通信手段と、を備えることを特徴とする構成である。
【００３１】
請求項２３に係る発明は、請求項２１又は２２に記載のプログラムにおいて、前記第２ステップは、前記検知手段によって印刷物が未回収状態であることが検知されている期間において、前記第１及び第２のネットワークのうちの他方から受信するジョブを受け付けないことを特徴とする構成である。
【００３２】
請求項２４に係る発明は、請求項２１又は２２に記載のプログラムにおいて、前記第２ステップは、前記検知手段によって印刷物が未回収状態であることが検知されている期間において、前記第１及び第２のネットワークのうちの他方からジョブを受信した場合、当該受信ジョブを予約ジョブとして受け付けることを特徴とする構成である。
【００３３】
請求項２５に係る発明は、請求項２１乃至２４のいずれかに記載のプログラムにおいて、前記画像形成装置に、前記検知手段によって印刷物が回収されたことが検知された場合に、前記第１及び第２のネットワークのうちの他方から受信するジョブの実行の規制を解除する第３ステップ、をさらに実行させることを特徴とする構成である。
【発明の効果】
【００３４】
本発明によれば、互いに異なる複数の組織による共有を可能としつつ、異なる組織のユーザーに印刷物が見られてしまうことを抑制することが可能である。
【図面の簡単な説明】
【００３５】
【図１】第１実施形態における画像形成システムのシステム全体の構成例を示す図である。
【図２】画像形成装置のハードウェア構成及び機能構成の一例を示す図である。
【図３】規制設定情報の一例を示す図である。
【図４】対処設定情報の一例を示す図である。
【図５】画像形成システムの動作プロセスの例を示す図である。
【図６】画像形成システムの動作プロセスの例を示す図である。
【図７】画像形成装置の詳細な処理手順の一例を示す図である。
【図８】画像形成装置の詳細な処理手順の一例を示す図である。
【図９】画像形成装置の詳細な処理手順の一例を示す図である。
【図１０】画像形成装置の詳細な処理手順の一例を示す図である。
【図１１】機器の表示部に表示される待機予約通知の一例を示す図である。
【図１２】画像形成装置の詳細な処理手順の一例を示す図である。
【図１３】画像形成装置の詳細な処理手順の一例を示す図である。
【図１４】画像形成装置の詳細な処理手順の一例を示す図である。
【図１５】画像形成装置の詳細な処理手順の一例を示す図である。
【図１６】機器の表示部に表示される印刷物回収の催促の一例を示す図である。
【図１７】機器の表示部に表示される注意通知の一例を示す図である。
【図１８】画像形成装置の詳細な処理手順の一例を示す図である。
【図１９】画像形成装置の詳細な処理手順の一例を示す図である。
【図２０】機器の表示部及び画像形成装置の操作パネルに表示されるステータス通知の一例を示す図である。
【図２１】第２実施形態における画像形成装置のハードウェア構成及び機能構成の一例を示す図である。
【図２２】ユーザー情報の一例を示す図である。
【図２３】第３実施形態における画像形成システムのシステム全体の構成例を示す図である。
【発明を実施するための形態】
【００３６】
以下、本発明に関する好ましい実施形態について図面を参照しつつ詳細に説明する。尚、以下に説明する実施形態において互いに共通する部材には同一符号を付しており、それらについての重複する説明は省略する。
【００３７】
（第１実施形態）
図１は、本発明の第１実施形態における画像形成システム１の全体構成の一例を示す図である。この画像形成システム１は、例えば企業や団体などの複数の組織が入居するオフィスビルなどに設置されるシステムであり、複数の組織が１つの画像形成装置２を共有して利用できるように構成されたシステムである。例えば、画像形成装置２は、スキャン機能、プリント機能、コピー機能及びＦＡＸ機能などの複数の機能を備えるＭＦＰなどで構成される。図１に示す画像形成装置２は、２つの組織によって共有される場合を例示している。第１の組織には、第１のネットワーク３に接続される複数の機器５ａが設けられる。また第２の組織には、第２のネットワーク４に接続される複数の機器５ｂが設けられる。尚、機器５ａ，５ｂは、例えばパーソナルコンピュータやタブレット端末などによって構成される。また、第１及び第２のネットワーク３，４は、ＬＡＮ（Local Area Network）などのローカルネットワークであり、互いに異なるネットワークである。
【００３８】
画像形成装置２は、第１の組織において使用される機器５ａ及び第２の組織において使用される機器５ｂのいずれからジョブが送信される場合であっても、それらのジョブを受信することが可能である。すなわち、画像形成装置２は、第１のネットワーク３及び第２のネットワーク４に接続されており、第１のネットワーク３に接続される機器５ａと、第２のネットワーク４に接続される機器５ｂのそれぞれと通信を行うことが可能である。尚、以下においては、第１のネットワーク３に設けられる機器５ａと第２のネットワーク４に設けられる機器５ｂとを区別しないときには、それらを総称して単に機器５ということがある。また、本実施形態では、第１のネットワーク３及び第２のネットワーク４のそれぞれにおいて、機器５ａ，５ｂが２台ずつ配置される場合を例示しているが、各ネットワーク３，４に配置される機器５は２台に限られるものではなく、１台以上であれば良い。
【００３９】
画像形成装置２は、第１のネットワーク３に接続される機器５ａ又は第２のネットワーク４に接続される機器５ｂから送信されるジョブを受信した場合、プリント機能を作動させてジョブを実行し、印刷出力を行う。画像形成装置２は、装置本体の中央部に排紙トレイ６を備えており、ジョブの実行に伴って生成される印刷物を排紙トレイ６の上に順次排出する。
【００４０】
また、画像形成装置２は、ユーザーが操作する際のユーザーインタフェースとなる操作パネル１３を備えている。この操作パネル１３には、各種情報を表示する表示部と、ユーザーによる各種操作入力を検知する操作部とが設けられている。画像形成装置２は、ユーザーによる操作パネル１３に対する各種操作入力に基づいてコピージョブなどを実行することも可能である。コピージョブは、スキャン機能とプリント機能とを作動させてユーザーによってセットされる原稿の複写物（印刷物）を生成するジョブである。
【００４１】
第１及び第２のネットワーク３，４のそれぞれに設けられる機器５は、各種情報を表示することが可能な表示部８を備えている。また、機器５は、画像形成装置２に対してプリントジョブなどのジョブを送信する機能を有している。例えば、機器５には画像形成装置２に対応するドライバプログラムがインストールされており、機器５においてドライバプログラムが実行されることにより、機器５は画像形成装置２に対してプリントジョブなどのジョブを送信することができるようになる。また、機器５は、ドライバプログラムが実行されることにより、画像形成装置２からの通知などを受信することができるようになる。この際、機器５は、画像形成装置２からの通知を表示部８に表示することができる。
【００４２】
尚、本実施形態では、第１のネットワーク３に接続される機器５ａと、第２のネットワーク４に接続される機器５ｂとは、互いに通信を行うことができない構成である。
【００４３】
このような画像形成システム１において、画像形成装置２は、第１及び第２のネットワーク３，４のうちのいずれか一方のネットワークを介してジョブを受信し、そのジョブに基づく印刷出力を開始すると、他方のネットワークを介して受信するジョブの実行を規制する。これにより、他方のネットワークのユーザーは、一時的に画像形成装置２を使用して印刷出力を行うことができない状態となる。つまり、画像形成装置２は、一方のネットワークから送信されたジョブに基づく印刷物を出力するとき、他方のネットワークから送信されるジョブの実行を規制することにより、互いに異なる組織のユーザーによって出力される複数の印刷物が排紙トレイ６上において混在した状態となることを抑制し、一方の組織のユーザーのために出力した印刷物が他方の組織のユーザーに見られてしまうことを防止するのである。ここで、他方のネットワークを介して受信するジョブの実行を規制するタイミングは、一方のネットワークを介してジョブを受信したタイミングであっても良いし、一方のネットワークを介して受信したジョブに基づく印刷出力を開始するタイミングであっても良い。また、一方のネットワークを介して受信したジョブに基づいて１枚目の印刷出力が完了するタイミングであっても良い。
【００４４】
また、画像形成装置２は、一方のネットワークから受信したジョブに基づく印刷物がユーザーによって回収されるまで、他方のネットワークからのジョブの実行を規制した状態（以下、「規制状態」と称することがある）を継続する。そして排紙トレイ６上から印刷物が回収されたことを検知すると、画像形成装置２は、規制状態を解除する。つまり、画像形成装置２は、一方のネットワークのユーザーの印刷物が回収された後に、他方のネットワークのユーザーによって送信されるジョブの実行を行うことができる状態とするのである。
【００４５】
さらに、このような画像形成装置２は、排紙トレイ６上に印刷物が放置された状態のときに、操作パネル１３を介して指示されるコピージョブの実行を規制することも可能である。
【００４６】
このように画像形成装置２は、一方のネットワークから受信したジョブに基づく印刷物が排紙トレイ６上に放置されている状態のときには、他方のネットワークから受信するジョブ及びコピージョブの実行を規制する。ただし、画像形成装置２は、一方のネットワークから受信したジョブに基づく印刷物が排紙トレイ６上に放置されている状態であっても、その一方のネットワークから受信するジョブの実行は規制しない。したがって、一方のネットワークから受信したジョブに基づく印刷物が排紙トレイ６上に放置されている状態のときには、その一方のネットワークを利用するユーザーは、画像形成装置２に対して更に別のジョブを実行させることができる。
【００４７】
尚、以下においては、以下、第１のネットワーク３から受信するジョブ（プリントジョブ）を、「第１のジョブ」と称することがある。また、第２のネットワーク４から受信するジョブ（プリントジョブ）を、「第２のジョブ」と称することがある。さらに、ユーザーが操作パネル１３を操作することによって投入するジョブ（例えばコピージョブなど）を「第３のジョブ」と称することがある。以下、このような画像形成装置２についてさらに詳しく説明する。
【００４８】
図２は、画像形成装置２のハードウェア構成及び機能構成の一例を示す図である。画像形成装置２は、そのハードウェア構成として、上述した操作パネル１３の他に、通信部１０と、用紙検知センサ１４と、スキャナ部１６と、プリンタ部１７と、ＦＡＸ部１８と、記憶部１９と、制御部２０とを備えている。
【００４９】
通信部１０は、画像形成装置２を第１及び第２のネットワーク３，４のそれぞれに接続するためのインタフェースである。画像形成装置２は、この通信部１０を介して、第１のネットワーク３に接続される機器５ａと通信を行うことが可能であり、また第２のネットワーク４に接続される機器５ｂと通信を行うことが可能である。本実施形態における通信部１０は、図２に示すように、第１の通信部１１と第２の通信部１２との複数の通信部を備えている。第１の通信部１１は、例えば１つのＬＡＮカードによって構成され、第１のネットワーク３に接続して第１のネットワーク３に接続されている機器５ａと通信を行う。また、第２の通信部１２は、例えば第１の通信部１１とは異なるＬＡＮカードによって構成され、第２のネットワーク４に接続して第２のネットワーク４に接続されている機器５ｂと通信を行う。
【００５０】
用紙検知センサ１４は、例えば排紙トレイ６上に設けられ、排紙トレイ６に排出される印刷物を検知するセンサである。用紙検知センサ１４が排紙トレイ６上において印刷物を検知している状態であれば、画像形成装置２が出力した印刷物が未回収であることが判る。そのため、用紙検知センサ１４は、画像形成装置２が出力した印刷物が未回収状態であることを検知するセンサとして利用される。例えば、画像形成装置２においてジョブの実行が開始され、用紙検知センサ１４は、１枚目の印刷用紙などのシート材が排紙トレイ６上へ排出されることに伴い、そのシート材を検知してオン状態となる。これに対し、排紙トレイ６上に印刷用紙などのシート材が存在していない場合、用紙検知センサ１４は、シート材を検出しないのでオフ状態となる。このような用紙検知センサ１４は、例えば、排紙トレイ６に排出される印刷物の重さによってオンオフする接触式のセンサや、光や超音波などで印刷物の有無を検知する非接触式のセンサなどで構成される。
【００５１】
スキャナ部１６は、ユーザーによってセットされる原稿の画像を光学的に読み取って画像データを生成する原稿読取手段である。スキャナ部１６は、ユーザーによってスキャンジョブやコピージョブ、ＦＡＸ送信ジョブの実行が指示された場合に動作し、ユーザーによってセットされた原稿に対応する画像データを制御部２０へ出力する。
【００５２】
プリンタ部１７は、制御部２０から出力される画像データに基づく画像を印刷用紙などのシート材に印刷して出力する印刷手段である。画像形成装置２は、プリンタ部１７を動作させることにより、第１のネットワーク３及び第２のネットワーク４のそれぞれから受信するプリントジョブに基づいて印刷出力を行うことができる。尚、プリンタ部１７は、ＦＡＸ部１８がＦＡＸデータを受信した場合にもそのＦＡＸデータに基づく印刷出力を行うことができる。
【００５３】
ＦＡＸ部１８は、図示を省略する公衆電話回線を介してＦＡＸデータの送受信を行うためのものである。例えば、ＦＡＸ部１８は、制御部２０からの指示に基づいて外部宛先を発呼し、その外部宛先へＦＡＸデータを送信することが可能であり、また公衆電話回線を介して受信するＦＡＸデータを制御部２０へ出力することもできる。
【００５４】
記憶部１９は、ハードディスクドライブ（ＨＤＤ）やソリッドステートドライブ（ＳＳＤ）などによって構成される不揮発性の記憶装置である。この記憶部１９は、様々なプログラムやデータなどを記憶しておくものである。例えば記憶部１９には、図２に示すように、プログラム３０と、規制設定情報３３と、対処設定情報３４などが記憶されている。
【００５５】
プログラム３０は、画像形成装置２において実行されるプログラムであり、予め画像形成装置２にインストールされているプログラムである。例えば画像形成装置２は、電源投入時にプログラム３０を読み出して実行することにより、後述する各種処理部を機能させる。
【００５６】
規制設定情報３３は、画像形成装置２においてジョブの実行を規制するための設定値を登録した情報である。例えば、第１のネットワーク３から受信したジョブが実行されたことによって排紙トレイ６に印刷物が出力され、その印刷物が排紙トレイ６上において放置されている場合、第２のネットワーク４から受信するジョブの実行が規制される。ここで、画像形成装置２においてジョブの実行を規制する方法には、主として次に２つの方法がある。第１の規制方法は、第２のネットワーク４から受信したジョブを直ぐには実行せずに、実行可能な状態となってから実行するために予約ジョブとして画像形成装置２に登録しておく方法である。第１の規制方法の場合、画像形成装置２は、受信したジョブを予約ジョブとして受け付けて保持しているため、排紙トレイ６上の印刷物が回収されたことを検知すると、直ぐに予約ジョブを実行することができる。これに対し、第２の規制方法は、第２のネットワーク４の機器５ｂに対してジョブの送信を待機するように命令し、第２のネットワーク４からジョブが送信されないようにする方法である。第１の規制方法及び第２の規制方法のうちのいずれを適用するかは、画像形成装置２の管理者、又は、第１の組織及び第２の組織のユーザーがそれぞれ個別に設定することが可能である。規制設定情報３３は、第１の規制方法と第２の規制方法とのいずれの方法によるジョブの実行規制を行うかを予め登録した情報である。
【００５７】
図３は、規制設定情報３３の一例を示す図である。例えば、規制設定情報３３は、図３に示すように、規制条件３３ａと、規制対象ジョブ３３ｂと、規制方法３３ｃとが相互に対応付けられた情報である。規制条件３３ａの欄には、ジョブの実行を規制する条件が登録される。図３の例では、第１のネットワーク３から受信したジョブに基づく印刷物が未回収であることが第１の条件として登録され、第２のネットワーク４から受信したジョブに基づく印刷物が未回収であることが第２の条件として登録され、コピージョブに基づく複写物（印刷物）が未回収であることが第３の条件として登録されている。そして規制設定情報３３には、これら３つの条件のそれぞれに対して規制対象ジョブ３３ｂと、規制方法３３ｃとが設定されている。例えば、第１のネットワーク３から受信したジョブに基づく印刷物が未回収である場合（第１の条件が成立している場合）に規制対象となるジョブは、第２のネットワーク４から受信するジョブと、コピージョブとの２種類のジョブであることが登録されている。また、規制対象となるジョブの実行を規制する方法として、規制方法３３ｃの欄に「予約」と「待機」のいずれかが登録される。「予約」は、上述した第１の規制方法による規制である。また、「待機」は、上述した第２の規制方法による規制である。
【００５８】
対処設定情報３４は、排紙トレイ６上に印刷物が放置され、ジョブの実行が規制されている状態（規制状態）において、待機又は予約ジョブがある場合に参照される情報であり、早期に規制状態を解除するために画像形成装置２が行うべき処理が予め登録された情報である。
【００５９】
図４は、対処設定情報３４の一例を示す図である。例えば、対処設定情報３４は、図４に示すように、印刷物が放置された状態となっているジョブ３４ａと、画像形成装置２が行うべき処理の処理内容３４ｂと、処理内容３４ｂに規定される処理を画像形成装置２が行ってから所定時間経過しても印刷物が放置されている場合に、画像形成装置２が行うべき処理の処理内容３４ｃとが相互に対応付けられた情報である。印刷物が放置された状態となっているジョブ３４ａの欄には、第１のネットワーク３から受信したジョブと、第２のネットワーク４から受信したジョブと、コピージョブとが個別に登録されている。対処設定情報３４は、それらのジョブに対して、処理内容３４ｂ，３４ｃが個別に登録された情報となっている。
【００６０】
例えば、処理内容３４ｂには、排紙トレイ６上に印刷物を放置しているユーザー等に対して印刷物回収の催促を行う第１の催促処理がある。印刷物が放置された状態となっているジョブ３４ａが第１又は第２のネットワークから受信したジョブである場合、画像形成装置２は、ジョブを投入したユーザーが所持する機器５、又は、そのユーザーが利用するネットワークに接続される全ての機器５に対して第１の催促を行う。第１の催促を受信した機器５は、表示部８に第１の催促を表示することで、機器５を所持するユーザーに対して印刷物回収を催促する。ジョブを投入したユーザーが所持する機器５に対して第１の催促を行うか、そのユーザーが利用するネットワークに接続される全ての機器５に対して第１の催促を行うかは、画像形成装置２の管理者、又は、第１の組織及び第２の組織の代表者などがそれぞれ個別に設定することが可能である。また、印刷物が放置された状態となっているジョブ３４ａがコピージョブである場合、画像形成装置２は、操作パネル１３を介して第１の催促を行うか、第１及び第２のネットワーク３，４のそれぞれに接続される全ての機器５に対して第１の催促を行う。操作パネル１３を介して第１の催促を行うか、第１及び第２のネットワーク３，４のそれぞれに接続される全ての機器５に対して第１の催促を行うかは、画像形成装置２の管理者、又は、第１の組織及び第２の組織の代表者などがそれぞれ個別に設定することが可能である。このような第１の催促処理が行われ、ユーザーが印刷物を回収することで、規制状態は早期に解除される。
【００６１】
処理内容３４ｃは、処理内容３４ｂに規定される処理、すなわち第１の催促処理が行われた後、所定時間経過しても印刷物が放置されている場合に、画像形成装置２に参照される。例えば、処理内容３４ｃには、第２の催促処理と、通知処理と、例外処理との３つの処理がある。
【００６２】
第２の催促処理は、第１の催促処理が行われた後、所定時間経過後も印刷物が回収されていない場合に、画像形成装置２が再度印刷物の回収を催促する処理である。この第２の催促処理も、第１の催促処理と同様に、印刷物が放置された状態となっているジョブ３４ａが第１又は第２のネットワークから受信したジョブである場合、画像形成装置２は、ジョブを投入したユーザーが所持する機器５、又は、そのユーザーが利用するネットワークに接続される全ての機器５に対して第２の催促を行う。また、印刷物が放置された状態となっているジョブ３４ａがコピージョブである場合、画像形成装置２は、操作パネル１３を介して第１の催促を行うか、第１及び第２のネットワーク３，４のそれぞれに接続される全ての機器５に対して第２の催促を行う。このような第２の催促処理の対象は、第１の催促処理と同様に、画像形成装置２の管理者、又は、第１の組織及び第２の組織の代表者などがそれぞれ個別に設定することが可能である。尚、第２の催促処理の対象は、第１の催促処理の対象と異なっていても構わない。例えば、第１の催促が印刷物を放置しているユーザーが所持する機器５に対して行われていても、第２の催促は、そのユーザーが利用するネットワークに接続される全ての機器５に対して行われるものであっても構わない。
【００６３】
ここで、第２の催促は、第１の催促と表示態様が異なる。第２の催促は、第１の催促には含まれない警告画像を含んだり、第１の催促とは文字の大きさ、位置、色や文字を表示する領域の色が異なったり、機器５にアラーム音を出力させたりする。例えば、第２の催促は、第１の催促より文字が大きかったり、文字や文字を表示する領域の色が赤色や黄色であったりする。また、第２の催促は、規制状態が解除されない限り、機器５の表示部８又は操作パネル１３に表示されたままにするようにしてもよい。第２の催促の表示態様を第１の催促と異ならせることで、第１の催促と比べて、より早急に印刷物を回収する必要があることをユーザーに通知する。
【００６４】
通知処理は、第１の催促処理が行われた後、所定時間経過しても印刷物が放置されている場合に、予め指定された通知先に印刷物が未回収であることを通知する処理である。この場合の通知先としては、例えば画像形成装置２の管理者であっても良いし、第１の組織又は第２の組織の代表者であっても良い。例外処理は、第１の催促処理が行われた後、所定時間経過しても印刷物が放置されている場合に、例外的にジョブの実行の規制状態を解除する処理である。このような対処設定情報３４を参照することにより、画像形成装置２は、規制状態が所定時間以上継続している場合に行うべき処理を自動決定することができる。これらの処理内容３４ｃは、画像形成装置２の管理者、又は、第１の組織及び第２の組織の代表者などがそれぞれ個別に設定することが可能である。
【００６５】
次に制御部２０の詳細について説明する。制御部２０は、図示を省略するＣＰＵやメモリなどを備えて構成される。ＣＰＵは、プログラム３０を実行するためのものであり、メモリは、ＣＰＵがプログラム３０を実行する際に発生する一時的なデータなどを記憶するためのものである。制御部２０のＣＰＵは、画像形成装置２に電源が投入されることにより、記憶部１９からプログラム３０を読み出して実行する。これにより、制御部２０は、ジョブ受付部２１、ユーザー特定部２２、規制部２３、通知生成部２４、通知送信部２５及びジョブ制御部２６として機能する。以下、これら各部の詳細について説明する。
【００６６】
ジョブ受付部２１は、画像形成装置２を使用するユーザーによって発行されるジョブを受け付ける処理部である。例えば、ジョブ受付部２１は、第１の通信部１１が第１のネットワーク３から受信するプリントジョブ、第２の通信部１２が第２のネットワーク４から受信するプリントジョブ、及び、操作パネル１３を介してユーザーによって指定されるコピージョブのそれぞれを受け付ける。
【００６７】
規制部２３は、画像形成装置２におけるジョブの実行を規制したり、規制状態を解除したりする処理部である。規制部２３は、ジョブ受付部２１によってジョブが受け付けられ、画像形成装置２においてそのジョブに基づく印刷出力が開始されることに伴って、ジョブの実行を規制する。このとき、規制部２３は、規制設定情報３３を参照し、規制設定情報３３に基づいてジョブの実行を規制する。
【００６８】
例えば、図３に示した規制設定情報３３を参照すると、規制部２３は、第１のネットワーク３から受信したジョブに基づく印刷出力が開始された場合に上述した第１の条件が成立したと判断し、第２のネットワーク４から受信するジョブの実行と、コピージョブの実行を規制する。また、図３に示した規制設定情報３３を参照すると、規制部２３は、この場合の規制方法として、ジョブ受付部２１によって受け付けられるジョブを予約ジョブとして登録することによって規制する方法を決定する。
【００６９】
また、第２のネットワーク３から受信したジョブに基づく印刷出力が開始された場合、規制部２３は、図３に示した規制設定情報３３に基づき、上述した第２の条件が成立したと判断し、第１のネットワーク３から受信するジョブの実行と、コピージョブの実行を規制する。また規制部２３は、この場合の規制方法として、第１のネットワーク３の機器５ａに対してジョブの送信を待機するように命令し、第１のネットワーク３からジョブが送信されないようにすることでジョブの実行を規制する方法を決定する。
【００７０】
さらに、コピージョブに基づく印刷出力が開始された場合、規制部２３は、図３に示した規制設定情報３３に基づき、上述した第３の条件が成立したと判断し、第１のネットワーク３から受信するジョブの実行と、第２のネットワーク４から受信するジョブの実行とを規制する。また規制部２３は、この場合の規制方法として、第１及び第２のネットワーク３，４のそれぞれに接続されている機器５に対してジョブの送信を待機するように命令し、第１及び第２のネットワーク３，４のそれぞれからジョブが送信されないようにすることでジョブの実行を規制する方法を決定する。
【００７１】
また規制部２３は、ジョブに基づく印刷出力が開始されると、用紙検知センサ１４の出力を監視し、ユーザーによって印刷物が回収されたか否かを判断する。そして規制部２３は、印刷物が未回収状態であることが検知されている期間において、ジョブの実行の規制状態を維持する。ただし、規制部２３は、ジョブの実行の規制状態が所定時間以上継続した場合、対処設定情報３４を参照し、対処設定情報３４において設定されている処理を実行する。これにより、ジョブの実行の状態が早期に解消されるようになる。
【００７２】
ジョブ制御部２６は、画像形成装置２におけるジョブの実行を制御する処理部である。例えば、第１のネットワーク３又は第２のネットワーク４からプリントジョブを受信し、そのプリントジョブを実行する場合、ジョブ制御部２６は、プリンタ部１７を駆動し、ジョブに基づく印刷出力を行わせる。また、ジョブ制御部２６は、操作パネル１３を介してコピージョブの実行が指示された場合には、スキャナ部１６及びプリンタ部１７を同期させて駆動し、コピージョブに基づく印刷出力を行わせる。ジョブ制御部２６によってプリンタ部１７が駆動されると、排紙トレイ６上にジョブに応じた印刷物が排出される。
【００７３】
また、ジョブ制御部２６は、ジョブ受付部２１によって受け付けられたジョブが予約ジョブとして登録された場合、その予約ジョブの実行を保留し、規制部２３によってジョブの実行の規制状態が解除された後に予約ジョブを読み出して実行する。
【００７４】
ユーザー特定部２２は、ジョブを投入したユーザーを特定する処理部である。ユーザー特定部２２がジョブを投入したユーザーを特定することにより、そのジョブに基づく印刷物が排紙トレイ６上に放置されていれば、そのユーザーに対し、或いは、そのユーザーと同じ組織に属する複数のユーザーに対して印刷物回収の催促を行うことが可能となる。また、ジョブを投入したユーザーとは異なる組織に属するユーザーに対し、ジョブの実行が規制されていることを通知することもできるようになる。
【００７５】
例えば、ジョブ受付部２１が第１及び第２のネットワーク３，４のいずれか一方からジョブを受信した場合、ユーザー特定部２２は、そのジョブのヘッダーなどに含まれる情報を解析することにより、ジョブを投入したユーザーを特定する。さらに、ユーザー特定部２２は、受信されたジョブが第１及び第２の通信部１１，１２のいずれを介して受信されたジョブかを確認することにより、ジョブを投入したユーザーが第１及び第２のネットワーク３，４のいずれのユーザーであるかを特定する。
【００７６】
通知生成部２４は、第１のネットワーク３又は第２のネットワーク４の機器５に対して送信すべき各種の通知や命令を生成する処理部である。例えば、排紙トレイ６上に印刷物が放置されている状態のとき、通知生成部２４は、ジョブを投入したユーザーが所属する組織の機器５に対して送信すべき通知であって、印刷物回収を催促するための通知を生成する。また、通知生成部２４は、ジョブを投入したユーザーが所属する組織とは異なる組織の機器５に対して送信すべき通知であって、ジョブの送信を待機させる待機命令や、受信したジョブを予約ジョブとして登録したことを示す予約通知なども生成する。また通知生成部２４は、ジョブに関するステータス通知を生成する。このステータス通知は、第１乃至第３のジョブのいずれかに基づく印刷物が未回収状態であること、又は、印刷物が存在しない状態であることを通知することが可能である。また、ステータス通知は、ジョブ実行の規制対象となるジョブの情報や、規制対象となるジョブの規制方法の情報などを通知することも可能である。これらの通知を受信した機器５は、これらの通知を表示部８に表示する。尚、機器５はこれらの通知を常に表示部８に表示するようにしてもよい。また、機器５は、ユーザーによって所定の操作がなされたときに、これらの通知を表示部８に表示するようにしてもよい。
【００７７】
また、通知生成部２４は、操作パネル１３に表示する各種の通知や命令を生成する。例えば、排紙トレイ６上にコピージョブ（第３のジョブ）に基づく印刷物が放置されている状態のとき、操作パネル１３に表示させる通知であって、印刷物回収を催促するための通知を生成する。また、通知生成部２４は、第３のジョブが規制されている場合に、ジョブの投入を待機させる待機命令や、コピージョブを予約ジョブとして受け付けることを示す予約通知なども生成する。また、通知生成部２４は、操作パネル１３に表示するステータス通知を生成する。このステータス通知は上述したステータス通知と同様の内容である。
【００７８】
通知送信部２５は、通知生成部２４によって生成される通知や命令などを、ユーザーが所持する機器５へ送信する処理部である。例えば、排紙トレイ６上に印刷物が放置されている状態のとき、通知送信部２５は、ユーザー特定部２２によって特定されるユーザーが使用する機器５、又は、そのユーザーが利用するネットワークに接続される複数の機器５に対して印刷物回収を催促するための通知を送信する。また、コピージョブに基づく印刷物が放置されている状態のとき、通知送信部２５は、第１及び第２のネットワーク３，４のそれぞれに接続される全ての機器５に対して印刷物回収を催促するための通知を送信するようにしてもよい。また、排紙トレイ６上に印刷物が放置されている状態のとき、通知送信部２５は、ユーザー特定部２２によって特定されるユーザーとは異なる組織に属するユーザーが使用する機器５に対し、待機命令や、受信したジョブを予約ジョブとして登録したことを示す予約通知などを送信する。また、通知送信部２５は、印刷物が未回収状態のとき、印刷物が未回収状態であることを通知するステータス通知を第１及び第２のネットワーク３，４のそれぞれに接続される全ての機器５に送信してもよい。また、ジョブ実行の規制対象となるジョブの情報や、規制対象となるジョブの制御方法の情報などを通知するステータス通知を、第１及び第２のネットワーク３，４のそれぞれに接続される全ての機器５に送信してもよい。また、通知送信部２５は、印刷物が存在しない状態のとき、印刷物が存在しない状態であることを通知するステータス通知を、第１及び第２のネットワーク３，４のそれぞれに接続される全ての機器５に送信してもよい。
【００７９】
このように画像形成装置２は、排紙トレイ６上に印刷物が放置されている状態のとき、ジョブを投入したユーザーや、ジョブを投入したユーザーと同じ組織に属するユーザーに対し、印刷物回収の催促を行うことで早期に印刷物を回収させることができる。また、画像形成装置２は、排紙トレイ６上に印刷物が放置されている状態のとき、ジョブを投入したユーザーとは異なる組織のユーザーに対しては、ジョブの実行が規制されていることを待機命令や予約通知などによって通知することができる。また、ステータス通知を行うことで、ユーザーは、排紙トレイ６上に印刷物が存在するか否か、ジョブ実行の規制対象となるジョブの情報、規制対象となるジョブの規制方法などの各種ステータスを常に確認することができる。
【００８０】
尚、画像形成装置２は、第１及び第２のネットワーク３，４のいずれか一方のネットワークの機器５に対して待機命令を送信した後、その一方のネットワークの機器５からジョブを受信することもある。そのような場合、画像形成装置２は、待機命令を送信した後に受信したジョブを破棄するようにしても良いし、予約ジョブとして登録するようにしても良い。
【００８１】
次に、上記のような画像形成装置２と、第１及び第２のネットワーク３，４の各機器５ａ，５ｂとで行われる第１の動作例について説明する。図５は、画像形成装置２と各機器５ａ，５ｂで行われる第１の動作プロセスを示す図である。第１の動作プロセスでは、画像形成装置２が行う規制方法が上述した第２の規制方法（「待機」）である場合の動作を例示している。まず、第１のネットワーク３に接続される機器５ａがプリントジョブを画像形成装置２に送信する（プロセスＰ１０）。プリントジョブを受信すると、画像形成装置２は、当該ジョブを受け付けて実行する（プロセスＰ１１）。そして画像形成装置２は、用紙検知センサ１４によって印刷物が未回収状態であることが検知されている期間、すなわち第１のネットワーク３のユーザーによって印刷物が回収されるまでの期間、第２のジョブの実行を規制する（プロセスＰ１２）。尚、この期間において、機器５ａから画像形成装置２に送信されたジョブは、画像形成装置２によって受け付けられ、実行される。
【００８２】
一方、第２のネットワーク４の機器５ｂからプリントジョブが送信されると（プロセスＰ１３）、画像形成装置２は、第２のネットワーク４の機器５ｂに対してジョブの送信を待機させるための待機命令を送信する（プロセスＰ１４）。このとき、画像形成装置２は、ジョブを待機させることをユーザーに通知するための待機通知を送信する。待機通知を受信した機器５ｂは、表示部８に待機通知を表示することにより、ユーザーに対し、画像形成装置２におけるジョブの実行が規制された状態であり、ジョブの送信を待機させることを通知する（プロセスＰ１５）。このような通知により、機器５ｂのユーザーは、画像形成装置２が直ぐに使用することができない状態であることを把握することができる。尚、画像形成装置２は、機器５ｂからのジョブを待つことなく、第２のジョブの実行を規制した直後に、第２のネットワーク４の機器５ｂに待機命令を送信するものとしてもよい。この場合、画像形成装置２は、第２のネットワーク４に接続される複数の機器５ｂに対して待機命令をユニキャスト送信するものであっても良い。ただし、ブロードキャスト又はマルチキャストで待機命令を送信すれば、第２のネットワーク４の負荷上昇を抑えることができるのでより好ましい。
【００８３】
また画像形成装置２は、第２のネットワーク４に待機命令を送信することに伴い、第１のネットワーク３のユーザーに対して印刷物回収の第１の催促を行う（プロセスＰ１６）。第１の催促は、ジョブを投入したユーザーの機器５ａに対してユニキャスト送信するようにしても良い。ただし、これに限られるものではなく、第１のネットワーク３に接続されている複数の機器５ａに対して第１の催促をブロードキャスト又はマルチキャストで送信するようにしても良い。ブロードキャストで第１の催促が送信される場合、第１の催促は、第１のネットワーク３に接続されている全ての機器５ａに送信される。このような第１の催促により、第１のネットワーク３のユーザーに対して印刷物が未回収であることが通知され、早期に印刷物が回収されるようになる。
【００８４】
また画像形成装置２は、第１のネットワーク３の機器５ａに対して第１の催促を送信した後、所定時間が経過しても印刷物が回収されない場合、上述した対処設定情報３４を参照し、対処設定情報３４において定められた処理を行う。図４に示した対処設定情報３４では、第１のネットワーク３から受信したジョブに基づく印刷物が放置されている場合の処理内容３４ｃとして、第１のネットワーク３に接続される全ての機器５ａに第２の催促を送信する第２の催促処理が定められている。そのため、画像形成装置２は、プロセスＰ１６から所定時間が経過しても印刷物が回収されない場合、第１のネットワーク３に接続される全ての機器５ａに対して再び第２の催促を送信することになる。
【００８５】
その後、第１のネットワーク３のユーザーによって印刷物が回収されると、画像形成装置２は、印刷物が回収されたことを検知する（プロセスＰ１７）。これに伴い、画像形成装置２は、ジョブの実行の規制状態を解除する（プロセスＰ１８）。画像形成装置２は、ジョブの実行の規制状態を解除することに伴い、第２のネットワーク４に接続されている機器５ｂに対して解除通知を送信する（プロセスＰ１９）。第２のネットワーク４の機器５ｂは、画像形成装置２から解除通知を受信すると、解除通知を表示部８に表示する。機器５ｂは、解除通知を表示部８に表示することで、ユーザーに対し、ジョブを送信してもよいことを通知する。このような通知により、機器５ｂのユーザーは、画像形成装置２が利用可能な状態であることを把握することができる。そして、ユーザーによってジョブの送信を行う操作が行われると、機器５ｂは、ジョブを画像形成装置２へ送信する（プロセスＰ２０）。そして画像形成装置２は、機器５ｂから受信したジョブを受け付け、実行する（プロセスＰ２１）。
【００８６】
次に、画像形成装置２と、第１及び第２のネットワーク３，４の各機器５ａ，５ｂとで行われる第２の動作例について説明する。図６は、画像形成装置２と各機器５ａ，５ｂで行われる第２の動作プロセスを示す図である。第２の動作プロセスでは、画像形成装置２が行う規制方法が上述した第１の規制方法（「予約」）である場合の動作を例示している。まず、第１のネットワーク３に接続される機器５ａがプリントジョブを画像形成装置２に送信する（プロセスＰ３０）。画像形成装置２は、プリントジョブを受信すると、当該ジョブを受け付けて実行する（プロセスＰ３１）。そして画像形成装置２は、用紙検知センサ１４によって印刷物が未回収状態であることが検知されている期間、すなわち印刷物が回収されるまでの期間、第２のジョブの実行を規制する（プロセスＰ３２）。尚、この期間において、機器５ａから画像形成装置２に送信されたジョブは、画像形成装置２によって受け付けられ、実行される。
【００８７】
一方、第２のネットワーク４に接続される機器５ｂのユーザーが機器５ｂに対してジョブの送信を指示すると、機器５ｂから画像形成装置２に対してジョブが送信される（プロセスＰ３３）。画像形成装置２は、第２のネットワーク４から受信するジョブの実行を規制している状態において第２のネットワーク４からジョブを受信すると、そのジョブを予約ジョブとして登録する（プロセスＰ３４）。そして画像形成装置２は、受信したジョブを予約ジョブとして受け付けたことを機器５ｂに通知する（プロセスＰ３５）。この通知により、機器５ｂのユーザーは、自身のジョブが直ぐには実行されないことを把握することができる。これに伴い、画像形成装置２は、第１のネットワーク３のユーザーに対して印刷物回収の第１の催促を行う（プロセスＰ３６）。尚、プロセスＰ３６から所定時間が経過しても印刷物が回収されない場合に画像形成装置２が対処設定情報３４に基づく処理を行う点は上記と同様である。
【００８８】
その後、画像形成装置２は、排紙トレイ６上の印刷物が回収されたことを検知すると（プロセスＰ３７）、第２のネットワーク４から受信するジョブの実行の規制状態を解除する（プロセスＰ３８）。次に、画像形成装置２は、機器５ｂから受信して登録している予約ジョブを読み出して実行する（プロセスＰ３９）。画像形成装置２は、予約ジョブの実行を開始した後、予約ジョブの実行を開始したことを示す実行通知を機器５ｂに送信する（プロセスＰ４０）。この実行通知により、機器５ｂのユーザーは、自身のジョブが画像形成装置２において実行されたことを把握することができ、画像形成装置２の設置場所まで移動して印刷物を早期に回収することができる。尚、画像形成装置２から機器５ｂに対して送信する実行通知は、ジョブの実行開始時に送信しても良いし、ジョブの実行完了時に送信しても良い。またジョブの実行中に送信するようにしても良い。
【００８９】
次に、画像形成装置２における具体的な動作の一例について説明する。図７は、画像形成装置２において行われる処理手順の一例を示すフローチャートである。この処理は、画像形成装置２がプログラム３０を読み出して実行することにより、定期的に行われる処理である。まず、画像形成装置２は、受信したジョブを受け付けるジョブ受付処理を行う（ステップＳ１０）。ジョブ受付処理では受信したジョブ受け付けるか否かに関する処理を行う。ジョブ受付処理の詳細については後述する。次に画像形成装置２は、回収検知処理を行う（ステップＳ２０）。回収検知処理は、印刷物が回収されたか否かを確認する処理である。回収検知処理の詳細については後述する。次に、画像形成装置２は、催促処理を行う（ステップＳ３０）。催促処理は、未回収状態の印刷物が存在する場合に印刷物を早期に回収させるための処理を行う。催促処理の詳細については後述する。次に、画像形成装置２は、待機予約処理を行う（ステップＳ４０）。待機予約処理は、予約ジョブ及び待機ジョブの実行に関する処理を行う。待機予約処理の詳細については後述する。次に画像形成装置２は、ステータス処理を行う（ステップＳ５０）。ステータス処理は、未回収印刷物や規制状態に関する情報を、第１及び第２のネットワーク３，４に接続される機器５の表示部８や、操作パネル１３に表示させる処理を行う。ステータス処理の詳細については後述する。画像形成装置２は、これらの処理を定期的に繰り返す。
【００９０】
次に、ジョブ受付処理（ステップＳ１０）の詳細な処理手順について説明する。図８乃至１０は、ジョブ受付処理（ステップＳ１０）の詳細は処理手順の一例を示すフローチャートである。画像形成装置２は、ジョブ受付処理を開始すると、プリントジョブを受信したか否かを確認する（ステップＳ１０１）。プリントジョブを受信していなければ（ステップＳ１０１でＮＯ）、処理は、図１０中のステップＳ１６１に進む。プリントジョブを受信していれば（ステップＳ１０１でＹＥＳ）、画像形成装置２は、当該ジョブが第１のジョブであるか否かを確認する（ステップＳ１０２）。第１のジョブは、第１のネットワーク３から受信するジョブである。第１のジョブでなければ（ステップＳ１０２でＮＯ）、処理は図９中のステップＳ１３０に進む。一方、第１のジョブであれば（ステップＳ１０２でＹＥＳ）、画像形成装置２は、第１のジョブに関する状態Ａを示す情報が「許可」を示す情報であるか否かを確認する（ステップＳ１０３）。
【００９１】
ここで、状態Ａとは、第１のジョブが規制対象であるか否かの状態を示すものである。尚、状態Ｂは第２のジョブが規制対象であるか否かの状態を示すものであり、状態Ｃは第３のジョブが規制対象であるか否かの状態を示すものである。本実施形態において、状態Ａ，Ｂ，Ｃは、「許可」、「待機」、「予約」、「例外」、「初期」の５つに分類される。例えば状態Ａが「許可」である場合は、第１のジョブの実行が許可される状態である。これは、第１のジョブに基づく印刷出力が開始された後、第１のジョブに基づく印刷物が回収されるまでの状態である。また、状態Ａが「待機」である場合は、第１のジョブが待機させられる状態である。これは状態Ｂ又は状態Ｃが「許可」である状態である。また、状態Ａが「予約」である場合は、第１のジョブが予約ジョブとして登録される状態である。これは、状態Ｂ又は状態Ｃが「許可」である状態である。「待機」と「許可」のどちらの状態が選択されるかは、規制設定情報３３に基づいて決定される。次に、状態Ａが「例外」である場合は、状態Ａが「許可」となった後に所定時間以上経過しても第１のジョブに基づく印刷物が回収されないときに移行することがある状態である。状態Ａが「例外」である場合には、第２のジョブ及び第３のジョブの実行が許可される。尚、第２のジョブは、第２のネットワーク４から受信するジョブであり、第３のジョブは、操作パネル１３から投入されるジョブである。そして、状態Ａが「初期」である場合は、他の状態「許可」、「待機」、「予約」、「例外」のいずれでもない状態であり、排紙トレイ６上に第１のジョブに基づく印刷物が存在しない状態である。尚、他の状態Ｂ，Ｃもこれと同様である。
【００９２】
図８に戻り、状態Ａが「許可」であれば（ステップＳ１０３でＹＥＳ）、画像形成装置２は、第１のジョブを受け付けて（ステップＳ１０７）、当該ジョブを実行する（ステップＳ１０８）。その後、処理は図１０のステップＳ１６１に進む。一方、状態Ａが「許可」でない場合（ステップＳ１０３でＮＯ）、画像形成装置２は、状態Ａが「初期」であるか否かを確認する（ステップＳ１０４）。状態Ａが「初期」でなければ（ステップＳ１０４でＮＯ）、処理は、図１０のステップＳ１６１に進む。一方、状態Ａが「初期」であれば（ステップＳ１０４でＹＥＳ）、画像形成装置２は、状態Ｂ又はＣが「許可」であるか否かを確認する（ステップＳ１０５）。状態Ｂ又はＣが「許可」でなければ（ステップＳ１０５でＮＯ）、基本的には、排紙トレイ６上に第２のジョブ又は第３のジョブに基づく印刷物が存在しない。そのため、状態Ｂ又はＣが「許可」でない場合（ステップＳ１０５でＮＯ）、画像形成装置２は状態Ａを「許可」にする（ステップＳ１０６）。その後、画像形成装置２は、第１のジョブを受け付けて（ステップＳ１０７）、当該ジョブを実行する（ステップＳ１０８）。その後、処理は、図１０のステップＳ１６１に進む。
【００９３】
一方、ステップＳ１０５において、状態Ｂ又はＣが「許可」であった場合（ステップＳ１０５でＹＥＳ）、上述した第２又は第３の条件が成立するため、画像形成装置２は、規制設定情報３３を参照して第１のジョブに対する規制方法を確認する（ステップＳ１１１）。規制方法が「待機」である場合（ステップＳ１１１で待機）、画像形成装置２は、第１のジョブを送信した機器５ａに待機命令を送信する（ステップＳ１１２）。待機命令を送信する際に、ユーザーにジョブの送信を待機させるための待機通知を送信する。待機通知を受信した機器５ａは表示部８に待機通知を表示する。図１１（ａ）は待機通知の一例を示す図である。待機通知Ｇ１は、ユーザーにジョブの送信を待機させるためのメッセージＭ１と、ユーザーが待機通知Ｇ１を非表示にする際に操作するボタンＢ１とを含んでいる。このような待機通知Ｇ１が機器５ａの表示部８に表示されることで、第１の組織に属するユーザーはジョブの投入を待機するようになるのである。
【００９４】
図８に戻り、待機命令を送信した後、画像形成装置２は、状態Ａを「待機」にする（ステップＳ１１３）。次に画像形成装置２は、規制状態を解除した場合などに、第１のジョブを投入したユーザーが所持する機器５ａに規制解除通知を行うために、ジョブのヘッダーなどに含まれる情報を解析してジョブを投入したユーザーを特定する（ステップＳ１１４）。そして処理は図１０のステップＳ１６１に進む。
【００９５】
ステップＳ１１１において、第１のジョブに対する規制方法が「予約」である場合（ステップＳ１１１で予約）、画像形成装置２は状態Ａを「予約」にする（ステップＳ１２１）。その後、画像形成装置２は、第１のジョブを予約ジョブとして受け付け（ステップＳ１２２）、予約通知を機器５ａに送信する（ステップＳ１２３）。予約通知を受信した機器５ａは、予約通知を表示部８に表示する。図１１（ｂ）は、予約通知の一例を示す図である。予約通知Ｇ２は、予約ジョブとしてジョブを受け付けたことをユーザーに通知するメッセージＭ２と、ユーザーが操作するボタンＢ１及びＢ３とを備えている。ユーザーがボタンＢ３を操作して予約をキャンセルする操作を行った場合、機器５ａは、予約がキャンセルされたことを画像形成装置２に通知する。
【００９６】
図８に戻り、予約通知を送信した後、画像形成装置２は、予約がキャンセルされているかを確認する（ステップＳ１２４）。予約がキャンセルされていれば（ステップＳ１２４でＹＥＳ）、この予約ジョブをメモリから削除し、第１のネットワーク３から受け付けた未実行の予約ジョブが他にあるか否かを確認する（ステップＳ１２５）。第１のネットワーク３から受け付けた未実行の予約ジョブが他になければ（ステップＳ１２５でＮＯ）、画像形成装置２は、状態Ａを「初期」にする（ステップＳ１２６）。そして処理は図１０のステップＳ１６１に進む。一方、第１のネットワーク３から受け付けた未実行の予約ジョブが他にあれば（ステップＳ１２５でＹＥＳ）、画像形成装置２は、状態Ａを「予約」のままにする。そして、処理は図１０のステップＳ１６１に進む。
【００９７】
上述したステップＳ１０３〜Ｓ１２６の処理は、受信したジョブが第１のジョブである場合の受付処理である。このような処理を行うことで、第１のジョブを受信したときに、第２又は第３のジョブに基づく印刷物が回収されていなければ第１のジョブの実行を規制し、互いに異なる組織のユーザーによって出力される複数の印刷物が排紙トレイ６上において混在した状態となることを抑制する。
【００９８】
次に、受信したジョブが第２のジョブである場合の受付処理について説明する。図９は、図８に示すフローチャートの続きである。まず、画像形成装置２は、第２のジョブに関する状態Ｂを示す情報が「許可」を示す情報であるか否かを確認する（ステップＳ１３０）。状態Ｂが「許可」であれば（ステップＳ１３０でＹＥＳ）、画像形成装置２は、第２のジョブを受け付けて（ステップＳ１３４）、当該ジョブを実行する（ステップＳ１３５）。その後、処理は図１０のステップＳ１６１に進む。一方、状態Ｂが「許可」でない場合（ステップＳ１３０でＮＯ）、画像形成装置２は、状態Ｂが「初期」であるか否かを確認する（ステップＳ１３１）。状態Ｂが「初期」でなければ（ステップＳ１３１でＮＯ）、処理は、図１０のステップＳ１６１に進む。一方、状態Ｂが「初期」であれば（ステップＳ１３１でＹＥＳ）、画像形成装置２は、状態Ａ又はＣが「許可」であるか否かを確認する（ステップＳ１３２）。状態Ａ又はＣが「許可」でなければ（ステップＳ１３２でＮＯ）、基本的には、排紙トレイ６上に第１のジョブ又は第３のジョブに基づく印刷物が存在しない。そのため、状態Ａ又はＣが「許可」でない場合（ステップＳ１３２でＮＯ）、画像形成装置２は状態Ｂを「許可」にする（ステップＳ１３３）。その後、画像形成装置２は、第２のジョブを受け付けて（ステップＳ１３４）、当該ジョブを実行する（ステップＳ１３５）。その後、処理は、図１０のステップＳ１６１に進む。
【００９９】
一方、ステップＳ１３２において、状態Ａ又はＣが「許可」であった場合（ステップＳ１３２でＹＥＳ）、上述した第１又は第３の条件が成立するため、画像形成装置２は、規制設定情報３３を参照して第２のジョブに対する規制方法を確認する（ステップＳ１４１）。規制方法が「待機」である場合（ステップＳ１４１で待機）、画像形成装置２は、第２のジョブを送信した機器５ｂに待機命令を送信する（ステップＳ１４２）。待機命令を送信する際に、ユーザーにジョブの送信を待機させるための待機通知を送信する。待機通知を受信した機器５ｂは表示部８に待機通知を表示する。待機通知Ｇ１が機器５ｂの表示部８に表示されることで、第２の組織に属するユーザーはジョブの投入を待機するようになるのである。待機命令を送信した後、画像形成装置２は、状態Ｂを「待機」にする（ステップＳ１４３）。次に画像形成装置２は、次に画像形成装置２は、規制状態を解除した場合などに、第２のジョブを投入したユーザーが所持する機器５ｂに規制解除通知を行うために、ジョブのヘッダーなどに含まれる情報を解析してジョブを投入したユーザーを特定する（ステップＳ１４４）。そして処理は図１０のステップＳ１６１に進む。
【０１００】
ステップＳ１４１において、第２のジョブに対する規制方法が「予約」である場合（ステップＳ１４１で予約）、画像形成装置２は状態Ｂを「予約」にする（ステップＳ１５１）。その後、画像形成装置２は、第２のジョブを予約ジョブとして受け付け（ステップＳ１５２）、予約通知Ｇ２を機器５ｂに送信する（ステップＳ１５３）。予約通知Ｇ２を受信した機器５ｂは、予約通知Ｇ２を表示部８に表示する。予約通知Ｇ２を送信した後、画像形成装置２は、予約がキャンセルされているかを確認する（ステップＳ１５４）。予約がキャンセルされていれば（ステップＳ１５４でＹＥＳ）、この予約ジョブをメモリから削除し、第２のネットワーク４から受け付けた未実行の予約ジョブが他にあるか否かを確認する（ステップＳ１５５）。第２のネットワーク４から受け付けた未実行の予約ジョブが他になければ（ステップＳ１５５でＮＯ）、画像形成装置２は、状態Ｂを「初期」にする（ステップＳ１５６）。そして処理は図１０のステップＳ１６１に進む。一方、第２のネットワーク４から受け付けた未実行の予約ジョブが他にあれば（ステップＳ１５５でＹＥＳ）、画像形成装置２は、状態Ｂを「予約」のままにする。そして、処理は図１０のステップＳ１６１に進む。
【０１０１】
以上のステップＳ１３０〜Ｓ１５６の処理を行うことで、第２のジョブを受信したときに、第１又は第３のジョブに基づく印刷物が回収されていなければ第２のジョブの実行を規制し、互いに異なる組織のユーザーによって出力される複数の印刷物が排紙トレイ６上において混在した状態となることを抑制する。
【０１０２】
次に、受信したジョブが第３のジョブである場合の受付処理について説明する。図１０は、図８及び図９に示すフローチャートの続きである。まず、画像形成装置２は、第３のジョブが投入されたか否かを確認する（ステップＳ１６１）。第３のジョブが投入されていなければ（ステップＳ１６１でＮＯ）、ジョブ受付処理（ステップＳ１０）を終了する。一方、第３のジョブが投入されていれば（ステップＳ１６１でＹＥＳ）、画像形成装置２は、第３のジョブに関する状態Ｃを示す情報が「初期」を示す情報であるか否かを確認する（ステップＳ１６２）。状態Ｃが「初期」でなければ（ステップＳ１６２でＮＯ）、ジョブ受付処理（ステップＳ１０）を終了する。一方、状態Ｃが「初期」であれば（ステップＳ１６２でＹＥＳ）、画像形成装置２は、状態Ａ又はＢが「許可」であるか否かを確認する（ステップＳ１６３）。状態Ａ又はＢが「許可」でなければ（ステップＳ１６３でＮＯ）、基本的には、排紙トレイ６上に第１のジョブ又は第２のジョブに基づく印刷物が存在しない。そのため、状態Ａ又はＢが「許可」でない場合（ステップＳ１６３でＮＯ）、画像形成装置２は状態Ｃを「許可」にする（ステップＳ１６４）。その後画像形成装置２は、第３のジョブを受け付けて（ステップＳ１６５）、当該ジョブを実行する（ステップＳ１６６）。そして、ジョブ受付処理（ステップＳ１０）を終了する。
【０１０３】
ステップＳ１６３において、状態Ａ又はＢが「許可」であった場合（ステップＳ１６３でＹＥＳ）、上述した第１又は第２の条件が成立するため、画像形成装置２は、規制設定情報３３を参照して第３のジョブに対する規制方法を確認する（ステップＳ１７１）。規制方法が「待機」である場合（ステップＳ１７１で待機）、画像形成装置２は、状態Ｃを「待機」にする（ステップＳ１７２）。そして、画像形成装置２は、操作パネル１３に、待機通知Ｇ１を表示する（ステップＳ１７３）。そして、ジョブ受付処理（ステップＳ１０）を終了する。
【０１０４】
ステップＳ１７１において、第３のジョブに対する規制方法が「予約」である場合（ステップＳ１７１で予約）、画像形成装置２は状態Ｃを「予約」にする（ステップＳ１８１）。その後、画像形成装置２は、第３のジョブを予約ジョブとして受け付け（ステップＳ１８２）、予約通知Ｇ２を操作パネル１３に表示する（ステップＳ１８３）。第３のジョブを予約ジョブとして受け付ける場合、例えばコピージョブであれば、画像形成装置２は、原稿の読み取りを実行しておき、その後の印刷出力を予約ジョブとして受け付けるようにする。そうすることで、第３のジョブに対する規制状態が解除されると、予約ジョブに基づく印刷出力が早期に開始されるのである。
【０１０５】
そして画像形成装置２は、ユーザーによって予約がキャンセルされているかを確認する（ステップＳ１８４）。予約がキャンセルされていれば（ステップＳ１８４でＹＥＳ）、この予約ジョブをメモリから削除し、操作パネル１３を介して受け付けた未実行の予約ジョブが他にあるか否かを確認する（ステップＳ１８５）。操作パネル１３を介して受け付けた未実行の予約ジョブが他になければ（ステップＳ１８５でＮＯ）、画像形成装置２は、状態Ｃを「初期」にする（ステップＳ１８６）。そして処理はジョブ受付処理（ステップＳ１０）を終了する。一方、操作パネル１３を介して受け付けた未実行の予約ジョブが他にあれば（ステップＳ１８５でＹＥＳ）、画像形成装置２は、状態Ｃを「予約」のままにする。そして、ジョブ受付処理（ステップＳ１０）を終了する。
【０１０６】
以上のステップＳ１６１〜Ｓ１８６の処理を行うことで、第３のジョブを受信したときに、第１又は第２のジョブに基づく印刷物が回収されていなければ第３のジョブの実行を規制し、互いに異なる組織のユーザーによって出力される複数の印刷物が排紙トレイ６上において混在した状態となることを抑制する。以上で、ジョブ受付処理（ステップＳ１０）の説明を終了する。
【０１０７】
次に、回収検知処理（ステップＳ２０）の詳細な処理手順について説明する。図１２は、回収検知処理の詳細な処理手順の一例を示すフローチャートである。画像形成装置２は、回収検知処理を開始すると、状態Ａが「許可」又は「例外」であるか否かを確認する（ステップＳ２０１）。状態Ａが「許可」又は「例外」でない場合（ステップＳ２０１でＮＯ）、処理はステップＳ２１１に進む。一方、状態Ａが「許可」又は「例外」である場合（ステップＳ２０１でＹＥＳ）、画像形成装置２は、印刷物が回収されたか否かを確認する（ステップＳ２０２）。すなわち、画像形成装置２は、用紙検知センサ１４が印刷物の未回収状態を検知しているか否かを確認する。印刷物が回収されていない場合（ステップＳ２０２でＮＯ）、処理はステップＳ２１１に進む。一方、印刷物が回収されている場合（ステップＳ２０２でＹＥＳ）、画像形成装置２は状態Ａを「初期」にする（ステップＳ２０３）。そして処理はステップＳ２１１に進む。
【０１０８】
次に、画像形成装置２は、状態Ｂが「許可」又は「例外」であるか否かを確認する（ステップＳ２１１）。状態Ｂが「許可」又は「例外」でない場合（ステップＳ２１１でＮＯ）、処理はステップＳ２２１に進む。一方、状態Ｂが「許可」又は「例外」である場合（ステップＳ２１１でＹＥＳ）、画像形成装置２は、印刷物が回収されたか否かを確認する（ステップＳ２１２）。すなわち、画像形成装置２は、用紙検知センサ１４が印刷物の未回収状態を検知しているか否かを確認する。印刷物が回収されていない場合（ステップＳ２１２でＮＯ）、処理はステップＳ２２１に進む。一方、印刷物が回収されている場合（ステップＳ２１２でＹＥＳ）、画像形成装置２は状態Ｂを「初期」にする（ステップＳ２１３）。そして処理はステップＳ２２１に進む。
【０１０９】
次に、画像形成装置２は、状態Ｃが「許可」又は「例外」であるか否かを確認する（ステップＳ２２１）。状態Ｃが「許可」又は「例外」でない場合（ステップＳ２２１でＮＯ）、回収検知処理（ステップＳ２０）を終了する。一方、状態Ｃが「許可」又は「例外」である場合（ステップＳ２２１でＹＥＳ）、画像形成装置２は、印刷物が回収されたか否かを確認する（ステップＳ２２２）。すなわち、画像形成装置２は、用紙検知センサ１４が印刷物の未回収状態を検知しているか否かを確認する。印刷物が回収されていない場合（ステップＳ２２２でＮＯ）、回収検知処理（ステップＳ２０）を終了する。一方、印刷物が回収されている場合（ステップＳ２２２でＹＥＳ）、画像形成装置２は状態Ｃを「初期」にする（ステップＳ２２３）。そして、回収検知処理（ステップＳ２０）を終了する。以上で、回収検知処理（ステップＳ２０）の説明を終了する。
【０１１０】
次に、催促処理（ステップＳ３０）の詳細な処理手順について説明する。図１３は、催促処理の詳細な処理手順の一例を示すフローチャートである。画像形成装置２は、催促処理を開始すると、状態Ａが「許可」であるか否かを確認する（ステップＳ３０１）。状態Ａが「許可」でない場合（ステップＳ３０１でＮＯ）、処理は図１４のステップＳ３３１に進む。一方、状態Ａが「許可」である場合（ステップＳ３０１でＹＥＳ）、画像形成装置２は、状態Ｂ又はＣが「待機」又は「予約」であるか否かを確認する（ステップＳ３０２）。状態Ｂ又はＣが「待機」又は「予約」でない場合（ステップＳ３０２でＮＯ）、処理は図１４のステップＳ３３１に進む。一方、状態Ｂ又はＣが「待機」又は「予約」である場合（ステップＳ３０２でＹＥＳ）、画像形成装置２は、対処設定情報３４を参照して第１の催促の送信先を決定する（ステップＳ３０３）、第１の催促の送信先が第１のジョブを投入したユーザーである場合（ステップＳ３０３でユーザー）、画像形成装置２は、第１の催促を、第１のジョブを投入したユーザーが所持する機器５ａに送信する（ステップＳ３０４）。一方、第１の催促の送信先が第１のネットワーク３に接続される全ての機器５ａである場合（ステップＳ３０３で全員）、画像形成装置２は、第１の催促を第１のネットワーク３に接続される全ての機器５ａに送信する（ステップＳ３０５）。第１の催促を受信した機器５ａは、第１の催促を表示部８に表示する。図１６（ａ）は、機器５ａの表示部８に表示される第１の催促Ｇ３の一例を示す図である。図１６（ａ）に示すように、第１の催促Ｇ３は、印刷物回収を催促するメッセージＭ３と、ユーザーが第１の催促Ｇ３を確認した際に操作され、操作に応じて第１の催促Ｇ３を非表示にするボタンＢ１とを含み、第１の催促Ｇ３を確認したユーザーに対して印刷物の回収を促す内容となっている。尚、このステップＳ３０３〜Ｓ３０５の処理は、第１のジョブに基づく印刷物が出力された後、所定時間経過するまでは行わないようにしてもよい。
【０１１１】
図１３に戻り、第１の催促Ｇ３を行った後、画像形成装置２は、第１の催促Ｇ３を行った後から所定時間経過するまでに印刷物が回収されたか否かを確認する（ステップＳ３０６）。所定時間内に印刷物が回収されている場合（ステップＳ３０６でＮＯ）、処理は図１４のステップＳ３３１に進む。一方、所定時間経過後も印刷物が回収されていない場合（ステップＳ３０６でＹＥＳ）、画像形成装置２は、対処設定情報３４を参照して対処方法を決定する（ステップＳ３０７）。第１のジョブに対する対処方法が「第２の催促処理（ユーザー）」である場合（ステップＳ３０７でユーザーに催促）、画像形成装置２は、第１のジョブを投入したユーザーが所持する機器５ａに第２の催促を送信する（ステップＳ３０８）。一方、第１のジョブに対する対処方法が「第２の催促処理（ネットワーク全員）」である場合（ステップＳ３０７で全員に催促）、画像形成装置２は、第１のネットワーク３に接続される全ての機器５ａに第２の催促を送信する（ステップＳ３０９）。第２の催促を受信した機器５ａは、第２の催促を表示部８に表示する。
【０１１２】
図１６（ｂ）は、機器５ａの表示部８に表示される第２の催促Ｇ４の一例を示す図である。図１６（ｂ）に示すように、第２の催促Ｇ４は、第１の催促Ｇ３に含まれるメッセージＭ３より、大きい文字で印刷物回収を強く催促するメッセージＭ４と、第１の催促Ｇ３には含まれない警告画像ＫＧなどで構成される。また、図１６（ｂ）に示すように、第１の催促Ｇ３とは異なり、第２の催促Ｇ４を非表示にするボタンＢ１を含まないようにしてもよい。ボタンＢ１を含まないことで、第２の催促Ｇ４を受けたユーザーが印刷物を回収するまで第２の催促Ｇ４を非表示にすることができなくなり、印刷物回収の強制力を強めることが可能となる。第２の催促Ｇ４は第１の催促Ｇ３と比べて、緊急性が高いことがユーザーに伝わるような形で行われ、第２の催促Ｇ４を確認したユーザーに対して印刷物の回収を至急に行わせる内容となっている。このような第２の催促Ｇ４を行うことで、ユーザーに早期に印刷物を回収させることで、早期に規制状態を解除することが可能になる。
【０１１３】
図１３に戻り、画像形成装置２が第２の催促Ｇ４を行うと（ステップＳ３０８，Ｓ３０９）、処理は図１４のステップＳ３３１に進む。また、ステップＳ３０７において、第１のジョブに対する対処方法が「管理者」である場合（ステップＳ３０７で管理者）、画像形成装置２は、予め指定された通知先に、第１のジョブに基づく印刷物が回収されていないことを通知する（ステップＳ３１０）。そして処理は図１４のステップＳ３３１に進む。また、ステップＳ３０７において、第１のジョブに対する対処方法が「例外」である場合（ステップＳ３０７で例外）、画像形成装置２は、状態Ａを「例外」にする（ステップＳ３１１）。状態Ａを「例外」とすることで、「待機」又は「予約」状態にある第２又は第３のジョブの実行が可能となるのである。その後、処理はステップＳ３２１に進む。
【０１１４】
ステップＳ３２１において、画像形成装置２は、状態Ｂが「待機」又は「予約」であるか否かを確認する（ステップＳ３２１）。状態Ｂが「待機」又は「予約」である場合（ステップＳ３２１でＹＥＳ）、画像形成装置２は、第１のジョブに基づく印刷物が残っていることを伝える注意通知を第２のジョブを投入したユーザーが所持する機器５ｂに送信する（ステップＳ３２２）。注意通知を受信した機器５ｂは、注意通知を表示部８に表示する。図１７は、機器５ｂの表示部８に表示される注意通知Ｇ５の一例を示す図である。図１７に示すように、注意通知Ｇ５には、待機ジョブ又は予約ジョブを実行することを通知すると共に、第１のネットワーク３から受信したジョブに基づく印刷物に注意して印刷物を回収する注意喚起を促すメッセージＭ５と、ユーザーが注意通知Ｇ５を確認した際に操作され、操作に応じて注意通知Ｇ５を非表示にするボタンＢ１とが含まれている。画像形成装置２は、このような注意通知Ｇ５を第２のジョブを投入したユーザーが所持する機器５ｂに送信することで、当該ユーザーに、第１のジョブに基づく印刷物に注意するように促すのである。尚、図１７では、状態Ｂが「予約」である場合の注意通知Ｇ５を例示した。これに対して状態Ｂが「待機」である場合の注意通知Ｇ５は、ジョブを受け付けることが可能なことをユーザーに通知すると共に、第１のネットワーク３から受信したジョブに基づく印刷物に注意して印刷物を回収する注意喚起を促すメッセージＭ５と、上述のボタンＢ１とを含むものになる。
【０１１５】
図１３に戻り、画像形成装置２が注意通知Ｇ５を行うと（ステップＳ３２２）、処理は図１４のステップＳ３３１に進む。一方、ステップＳ３２１において、状態Ｂが「待機」又は「予約」でない場合（ステップＳ３２１でＮＯ）、画像形成装置２は、状態Ｃが「待機」であるか否かを確認する（ステップＳ３２３）。状態Ｃが「待機」である場合（ステップＳ３２３でＹＥＳ）、画像形成装置２は、待機状態を解除することと、第１のジョブに基づく印刷物に注意することをユーザーに通知する注意通知Ｇ５を操作パネル１３に表示させる（ステップＳ３２４）。そして、処理は図１４のステップＳ３３１に進む。一方、状態Ｃが「待機」でない場合（ステップＳ３２３でＮＯ）、画像形成装置２は、状態Ｃが「予約」であるか否かを確認する（ステップＳ３２５）。状態Ｃが「予約」でない場合（ステップＳ３２５でＮＯ）、処理は図１４のステップＳ３３１に進む。一方、状態Ｃが「予約」である場合（ステップＳ３２５でＹＥＳ）、画像形成装置２は、予約ジョブを実行することと、第１のジョブに基づく印刷物に注意することをユーザーに通知する注意通知Ｇ５を操作パネル１３に表示させる（ステップＳ３２６）。このとき、第１及び第２のネットワーク３，４のそれぞれに接続される全ての機器５に、注意通知Ｇ５を送信するようにしてもよい。注意通知Ｇ５を受信した機器５は、注意通知Ｇ５を表示部８に表示する。そして処理は図１４のステップＳ３３１に進む。
【０１１６】
上述したステップＳ３０１〜Ｓ３２６は、第１のジョブに基づく印刷物が未回収である場合に行われる処理である。このような催促処理を行うことにより、第２又は第３のジョブを投入したユーザーが、画像形成装置２を利用できないといった事態を防止するのである。
【０１１７】
次に、第２のジョブに基づく印刷物が未回収である場合に行われる催促処理について説明する。図１４は、図１３に示すフローチャートの続きである。まず、画像形成装置２は、状態Ｂが「許可」であるか否かを確認する（ステップＳ３３１）。状態Ｂが「許可」でない場合（ステップＳ３３１でＮＯ）、処理は図１５のステップＳ３６１に進む。一方、状態Ｂが「許可」である場合（ステップＳ３３１でＹＥＳ）、画像形成装置２は、状態Ａ又はＣが「待機」又は「予約」であるか否かを確認する（ステップＳ３３２）。状態Ａ又はＣが「待機」又は「予約」でない場合（ステップＳ３３２でＮＯ）、処理は図１５のステップＳ３６１に進む。一方、状態Ａ又はＣが「待機」又は「予約」である場合（ステップＳ３３２でＹＥＳ）、画像形成装置２は、対処設定情報３４を参照して第１の催促Ｇ３の送信先を決定する（ステップＳ３３３）、第１の催促Ｇ３の送信先が第２のジョブを投入したユーザーである場合（ステップＳ３３３でユーザー）、画像形成装置２は、第１の催促Ｇ３を、第２のジョブを投入したユーザーが所持する機器５ｂに送信する（ステップＳ３３４）。一方、第１の催促Ｇ３の送信先が第２のネットワーク４に接続される全ての機器５ｂである場合（ステップＳ３３３で全員）、画像形成装置２は、第１の催促Ｇ３を第２のネットワーク４に接続される全ての機器５ｂに送信する（ステップＳ３３５）。第１の催促Ｇ３を受信した機器５ｂは、第１の催促Ｇ３を表示部８に表示する。尚、このステップＳ３３３〜Ｓ３３５の処理は、第２のジョブに基づく印刷物が出力された後、所定時間経過するまでは行わないようにしてもよい。
【０１１８】
第１の催促Ｇ３を行った後、画像形成装置２は、第１の催促Ｇ３を行った後から所定時間経過するまでに印刷物が回収されたか否かを確認する（ステップＳ３３６）。所定時間内に印刷物が回収されている場合（ステップＳ３３６でＮＯ）、処理は図１５のステップＳ３６１に進む。一方、所定時間経過後も印刷物が回収されていない場合（ステップＳ３３６でＹＥＳ）、画像形成装置２は、対処設定情報３４を参照して対処方法を決定する（ステップＳ３３７）。第２のジョブに対する対処方法が「第２の催促処理（ユーザー）」である場合（ステップＳ３３７でユーザーに催促）、画像形成装置２は、第２のジョブを投入したユーザーが所持する機器５ｂに第２の催促Ｇ４を送信する（ステップＳ３３８）。一方、第２のジョブに対する対処方法が「第２の催促処理（ネットワーク全員）」である場合（ステップＳ３３７で全員に催促）、画像形成装置２は、第２のネットワーク４に接続される全ての機器５ｂに第２の催促Ｇ４を送信する（ステップＳ３３９）。第２の催促Ｇ４を受信した機器５ｂは、第２の催促Ｇ４を表示部８に表示する。画像形成装置２が第２の催促Ｇ４を行うと（ステップＳ３３８，Ｓ３３９）、処理は図１５のステップＳ３６１に進む。
【０１１９】
一方、ステップＳ３３７において、第２のジョブに対する対処方法が「管理者」である場合（ステップＳ３３７で管理者）、画像形成装置２は、予め指定された通知先に、第２のジョブに基づく印刷物が回収されていないことを通知する（ステップＳ３４０）。そして処理は図１５のステップＳ３６１に進む。また、ステップＳ３３７において、第２のジョブに対する対処方法が「例外」である場合（ステップＳ３３７で例外）、画像形成装置２は、状態Ｂを「例外」にする（ステップＳ３４１）。状態Ｂを「例外」とすることで、「待機」又は「予約」状態にある第１又は第３のジョブの実行が可能となるのである。その後、処理はステップＳ３５１に進む。
【０１２０】
ステップＳ３５１において、画像形成装置２は、状態Ａが「待機」又は「予約」であるか否かを確認する（ステップＳ３５１）。状態Ａが「待機」又は「予約」である場合（ステップＳ３５１でＹＥＳ）、画像形成装置２は、第２のジョブに基づく印刷物が残っていることを伝える注意通知Ｇ５を第１のジョブを投入したユーザーが所持する機器５ａに送信する（ステップＳ３５２）。注意通知Ｇ５を受信した機器５ａは、注意通知Ｇ５を表示部８に表示する。そして、処理は図１５のステップＳ３６１に進む。
【０１２１】
一方、ステップＳ３５１において、状態Ａが「待機」又は「予約」でない場合（ステップＳ３５１でＮＯ）、画像形成装置２は、状態Ｃが「待機」であるか否かを確認する（ステップＳ３５３）。状態Ｃが「待機」である場合（ステップＳ３５３でＹＥＳ）、画像形成装置２は、待機状態を解除することと、第２のジョブに基づく印刷物に注意することをユーザーに通知する注意通知Ｇ５を操作パネル１３に表示させる（ステップＳ３５４）。そして、処理は図１５のステップＳ３６１に進む。一方、状態Ｃが「待機」でない場合（ステップＳ３５３でＮＯ）、画像形成装置２は、状態Ｃが「予約」であるか否かを確認する（ステップＳ３５５）。状態Ｃが「予約」でない場合（ステップＳ３５５でＮＯ）、処理は図１５のステップＳ３６１に進む。一方、状態Ｃが「予約」である場合（ステップＳ３５５でＹＥＳ）、画像形成装置２は、予約ジョブを実行することと、第２のジョブに基づく印刷物に注意することをユーザーに通知する注意通知Ｇ５を操作パネル１３に表示させる（ステップＳ３５６）。このとき、このとき、第１及び第２のネットワーク３，４のそれぞれに接続される全ての機器５に、注意通知Ｇ５を送信するようにしてもよい。注意通知Ｇ５を受信した機器５は、注意通知Ｇ５を表示部８に表示する。そして処理は図１５のステップＳ３６１に進む。
【０１２２】
上述したステップＳ３３１〜Ｓ３５６は、第２のジョブに基づく印刷物が未回収である場合に行われる処理である。このような催促処理を行うことにより、第１又は第３のジョブを投入したユーザーが、画像形成装置２を利用できないといった事態を防止するのである。
【０１２３】
次に、第３のジョブに基づく印刷物が未回収である場合に行われる催促処理について説明する。図１５は、図１４に示すフローチャートの続きである。まず、画像形成装置２は、状態Ｃが「許可」であるか否かを確認する（ステップＳ３６１）。状態Ｃが「許可」でない場合（ステップＳ３６１でＮＯ）、催促処理（ステップＳ３０）を終了する。一方、状態Ｃが「許可」である場合（ステップＳ３６１でＹＥＳ）、画像形成装置２は、状態Ａ又はＢが「待機」又は「予約」であるか否かを確認する（ステップＳ３６２）。状態Ａ又はＢが「待機」又は「予約」でない場合（ステップＳ３６２でＮＯ）、催促処理（ステップＳ３０）を終了する。一方、状態Ａ又はＢが「待機」又は「予約」である場合（ステップＳ３６２でＹＥＳ）、画像形成装置２は、対処設定情報３４を参照して第１の催促Ｇ３を行う対象を決定する（ステップＳ３６３）。第１の催促Ｇ３を操作パネル１３に表示する場合（ステップＳ３６３でパネル）、画像形成装置２は、第１の催促Ｇ３を操作パネル１３に表示する（ステップＳ３６４）。一方、第１の催促Ｇ３が、第１及び第２のネットワーク３，４のそれぞれに接続される全ての機器５に送信される場合（ステップＳ３６３で全員）、画像形成装置２は、第１の催促Ｇ３を、第１及び第２のネットワーク３，４のそれぞれに接続される全ての機器５に送信する（ステップＳ３６５）。第１の催促Ｇ３を受信した機器５は、第１の催促Ｇ３を表示部８に表示する。尚、このステップＳ３６３〜Ｓ３６５の処理は、第３のジョブに基づく印刷物が出力された後、所定時間経過するまでは行わないようにしてもよい。
【０１２４】
第１の催促Ｇ３を行った後、画像形成装置２は、第１の催促Ｇ３を行った後から所定時間経過するまでに印刷物が回収されたか否かを確認する（ステップＳ３６６）。所定時間内に印刷物が回収されている場合（ステップＳ３６６でＮＯ）、催促処理（ステップＳ３０）を終了する。一方、所定時間経過後も印刷物が回収されていない場合（ステップＳ３６６でＹＥＳ）、画像形成装置２は、対処設定情報３４を参照して対処方法を決定する（ステップＳ３６７）。第３のジョブに対する対処方法が「第２の催促（パネル）」である場合（ステップＳ３６７でパネルで催促）、画像形成装置２は、第２の催促Ｇ４を操作パネル１３に表示する（ステップＳ３６８）。一方、第３のジョブに対する対処方法が「第２の催促（ネットワーク全員）」である場合（ステップＳ３６７で全員に催促）、画像形成装置２は、第１及び第２のネットワーク３，４のそれぞれに接続される全ての機器５に、第２の催促Ｇ４を送信する（ステップＳ３６９）。第２の催促Ｇ４を受信した機器５は、第２の催促Ｇ４を表示部８に表示する。画像形成装置２は第２の催促Ｇ４を行うと（ステップＳ３６８，Ｓ３６９）、催促処理（ステップＳ３０）を終了する。
【０１２５】
一方、ステップＳ３６７において、第３のジョブに対する対処方法が「管理者」である場合（ステップＳ３６７で管理者）、画像形成装置２は、予め指定された通知先に、第３のジョブに基づく印刷物が回収されていないことを通知する（ステップＳ３７０）。そして催促処理（ステップＳ３０）を終了する。また、ステップＳ３６７において、第３のジョブに対する対処方法が「例外」である場合（ステップＳ３６７で例外）、画像形成装置２は、状態Ｃを「例外」にする（ステップＳ３７１）。状態Ｃを「例外」とすることで、「待機」又は「予約」状態にある第１又は第２のジョブの実行が可能となるのである。その後、処理はステップＳ３８１に進む。
【０１２６】
ステップＳ３８１において、画像形成装置２は、状態Ａが「待機」又は「予約」であるか否かを確認する（ステップＳ３８１）。状態Ａが「待機」又は「予約」である場合（ステップＳ３８１でＹＥＳ）、画像形成装置２は、第３のジョブに基づく印刷物が残っていることを伝える注意通知Ｇ５を第１のジョブを投入したユーザーが所持する機器５ａに送信する（ステップＳ３８２）。注意通知Ｇ５を受信した機器５ａは、注意通知Ｇ５を表示部８に表示する。そして、催促処理（ステップＳ３０）を終了する。
【０１２７】
一方、ステップＳ３８１において、状態Ａが「待機」又は「予約」でない場合（ステップＳ３８１でＮＯ）、画像形成装置２は、状態Ｂが「待機」又は「予約」であるか否かを確認する（ステップＳ３８３）。状態Ｂが「待機」又は「予約」でない場合（ステップＳ３８３でＮＯ）、催促処理（ステップＳ３０）を終了する。一方、状態Ｂが「待機」又は「予約」である場合（ステップＳ３８３でＹＥＳ）、画像形成装置２は、第３のジョブに基づく印刷物が残っていることを伝える注意通知Ｇ５を第２のジョブを投入したユーザーが所持する機器５ｂに送信する（ステップＳ３８４）。注意通知Ｇ５を受信した機器５ｂは、注意通知Ｇ５を表示部８に表示する。そして、催促処理（ステップＳ３０）を終了する。
【０１２８】
上述したステップＳ３６１〜Ｓ３８４は、第３のジョブに基づく印刷物が未回収である場合に行われる処理である。このような催促処理を行うことにより、第１又は第２のジョブを投入したユーザーが、画像形成装置２を利用できないといった事態を防止するのである。
【０１２９】
次に、待機予約処理（ステップＳ４０）の詳細な処理手順について説明する。図１８は、待機予約処理の詳細な処理手順の一例を示すフローチャートである。画像形成装置２は、待機予約処理を開始すると、まず状態Ａが「待機」であるか否かを確認する（ステップＳ４０１）。状態Ａが「待機」である場合（ステップＳ４０１でＹＥＳ）、画像形成装置２は、状態Ｂ又はＣが「初期」又は「例外」であるか否かを確認する（ステップＳ４０２）。状態Ｂ又はＣが「初期」又は「例外」でない場合（ステップＳ４０２でＮＯ）、処理はステップＳ４２１に進む。一方、状態Ｂ又はＣが「初期」又は「例外」である場合（ステップＳ４０２でＹＥＳ）、画像形成装置２は状態Ａを「初期」にする（ステップＳ４０３）。すなわち、画像形成装置２は、待機させていた第１のジョブを受け付けることができる状態にする。そして画像形成装置２は、第１のネットワーク３に接続される機器５ａに規制解除通知を送信する（ステップＳ４０４）。そして処理はステップＳ４２１に進む。
【０１３０】
一方、ステップＳ４０１において、状態Ａが「待機」でない場合（ステップＳ４０１でＮＯ）、画像形成装置２は状態Ａが「予約」であるか否かを確認する（ステップＳ４１１）。状態Ａが「予約」でなければ（ステップＳ４１１でＮＯ）、処理はステップＳ４２１に進む。一方、状態Ａが「予約」である場合、（ステップＳ４１１でＹＥＳ）、画像形成装置２は、状態Ｂ又はＣが「初期」又は「例外」であるか否かを確認する（ステップＳ４１２）。状態Ｂ又はＣが「初期」又は「例外」でない場合（ステップＳ４１２でＮＯ）、処理はステップＳ４２１に進む。一方、状態Ｂ又はＣが「初期」又は「例外」である場合（ステップＳ４１２でＹＥＳ）、画像形成装置２は、画像形成装置２は状態Ａを「許可」にする（ステップＳ４１３）。そして画像形成装置２は、予約ジョブの実行及び実行通知を機器５ａに送信する（ステップＳ４１４）。その後、処理はステップＳ２２１に進む。
【０１３１】
上述したステップＳ４０１〜Ｓ４１４は、第１のジョブが規制対象である場合に行われる処理である。ステップＳ４０１〜Ｓ４１４の処理により、第１のジョブの実行が規制されている場合には、待機又は予約されている第１のジョブの実行は行われない。そのため、互いに異なる組織のユーザーによって出力される複数の印刷物が排紙トレイ６上において混在した状態となることが抑制される。また、第１のジョブに対する規制状態が解除されると、待機又は予約されている第１のジョブの実行が速やかに行われるため、第１のジョブを投入したユーザーの利便性も損なわない。
【０１３２】
次に、第２のジョブが規制対象である場合に行われる処理について説明する。画像形成装置２は、状態Ｂが「待機」であるか否かを確認する（ステップＳ４２１）。状態Ｂが「待機」である場合（ステップＳ４２１でＹＥＳ）、画像形成装置２は、状態Ａ又はＣが「初期」又は「例外」であるか否かを確認する（ステップＳ４２２）。状態Ａ又はＣが「初期」又は「例外」でない場合（ステップＳ４２２でＮＯ）、処理はステップＳ４４１に進む。一方、状態Ａ又はＣが「初期」又は「例外」である場合（ステップＳ４２２でＹＥＳ）、画像形成装置２は状態Ｂを「初期」にする（ステップＳ４２３）。すなわち、画像形成装置２は、待機させていた第２のジョブを受け付けることができる状態にする。そして画像形成装置２は、第２のネットワーク４に接続される機器５ｂに規制解除通知を送信する（ステップＳ４２４）。そして処理はステップＳ４４１に進む。
【０１３３】
一方、ステップＳ４２１において、状態Ｂが「待機」でない場合（ステップＳ４２１でＮＯ）、画像形成装置２は状態Ｂが「予約」であるか否かを確認する（ステップＳ４３１）。状態Ｂが「予約」でなければ（ステップＳ４３１でＮＯ）、処理はステップＳ４４１に進む。一方、状態Ｂが「予約」である場合、（ステップＳ４３１でＹＥＳ）、画像形成装置２は、状態Ａ又はＣが「初期」又は「例外」であるか否かを確認する（ステップＳ４３２）。状態Ａ又はＣが「初期」又は「例外」でない場合（ステップＳ４３２でＮＯ）、処理はステップＳ４４１に進む。一方、状態Ａ又はＣが「初期」又は「例外」である場合（ステップＳ４３２でＹＥＳ）、画像形成装置２は、画像形成装置２は状態Ｂを「許可」にする（ステップＳ４３３）。そして画像形成装置２は、予約ジョブの実行及び実行通知を機器５ｂに送信する（ステップＳ４３４）。その後、処理はステップＳ２４１に進む。
【０１３４】
上述したステップＳ４２１〜Ｓ４３４は、第２のジョブが規制対象である場合に行われる処理である。ステップＳ４２１〜Ｓ４３４の処理により、第２のジョブの実行が規制されている場合には、待機又は予約されている第２のジョブの実行は行われない。そのため、互いに異なる組織のユーザーによって出力される複数の印刷物が排紙トレイ６上において混在した状態となることが抑制される。また、第２のジョブに対する規制状態が解除されると、待機又は予約されている第２のジョブの実行が速やかに行われるため、第２のジョブを投入したユーザーの利便性も損なわない。
【０１３５】
次に、第３のジョブが規制対象である場合に行われる処理について説明する。画像形成装置２は、状態Ｃが「待機」であるか否かを確認する（ステップＳ４４１）。状態Ｃが「待機」である場合（ステップＳ４４１でＹＥＳ）、画像形成装置２は、状態Ａ又はＢが「初期」又は「例外」であるか否かを確認する（ステップＳ４４２）。状態Ａ又はＢが「初期」又は「例外」でない場合（ステップＳ４４２でＮＯ）、待機予約処理（ステップＳ４０）を終了する。一方、状態Ａ又はＢが「初期」又は「例外」である場合（ステップＳ４４２でＹＥＳ）、画像形成装置２は状態Ｃを「初期」にする（ステップＳ４４３）。すなわち、画像形成装置２は、待機させていた第３のジョブを受け付けることができる状態にする。そして画像形成装置２は、操作パネル１３に規制解除通知を表示する（ステップＳ４４４）。そして待機予約処理（ステップＳ４０）を終了する。
【０１３６】
一方、ステップＳ４４１において、状態Ｃが「待機」でない場合（ステップＳ４４１でＮＯ）、画像形成装置２は状態Ｃが「予約」であるか否かを確認する（ステップＳ４５１）。状態Ｃが「予約」でなければ（ステップＳ４５１でＮＯ）、待機予約処理（ステップＳ４０）を終了する。一方、状態Ｃが「予約」である場合、（ステップＳ４５１でＹＥＳ）、画像形成装置２は、状態Ａ又はＢが「初期」又は「例外」であるか否かを確認する（ステップＳ４５２）。状態Ａ又はＢが「初期」又は「例外」でない場合（ステップＳ４５２でＮＯ）、待機予約処理（ステップＳ４０）を終了する。一方、状態Ａ又はＢが「初期」又は「例外」である場合（ステップＳ４５２でＹＥＳ）、画像形成装置２は、画像形成装置２は状態Ｃを「許可」にする（ステップＳ４５３）。そして画像形成装置２は、予約ジョブを実行し（ステップＳ４５４）、待機予約処理（ステップＳ４０）を終了する。
【０１３７】
上述したステップＳ４４１〜Ｓ４５４は、第３のジョブが規制対象である場合に行われる処理である。ステップＳ４４１〜Ｓ４５４の処理により、第３のジョブの実行が規制されている場合には、待機又は予約されている第３のジョブの実行は行われない。そのため、互いに異なる組織のユーザーによって出力される複数の印刷物が排紙トレイ６上において混在した状態となることが抑制される。また、第３のジョブに対する規制状態が解除されると、待機又は予約されている第３のジョブの実行が速やかに行われるため、第３のジョブを投入したユーザーの利便性も損なわない。以上で、待機予約処理（ステップＳ４０）の説明を終了する。
【０１３８】
次に、ステータス処理（ステップＳ５０）の詳細な処理手順について説明する。図１９は、ステータス処理の詳細な処理手順の一例を示すフローチャートである。画像形成装置２は、ステータス処理を開始すると、排紙トレイ６上に印刷物が存在するか否かを確認する（ステップＳ５０１）。排紙トレイ６上に印刷物が存在しない場合（ステップＳ５０１でＮＯ）、機器５の表示部８又は操作パネル１３に表示されるステータス通知の内容を更新する（ステップＳ５１０）。この更新によって、ステータス通知は、ユーザーに対して印刷物が存在しない状態であることを示すものになる。そして画像形成装置２は、印刷物が存在しない状態であることを示すステータス通知を、第１及び第２のネットワーク３，４のそれぞれに接続される全ての機器５ａ，５ｂに送信する（ステップＳ５１１）。機器５ａ，５ｂは、受信したステータス通知を表示部８に表示する。印刷物が存在しない状態であることを示すステータス通知をユーザーが確認することで、ユーザーは排紙トレイ６上に印刷物が存在しない状態であることを知ることができる。そして画像形成装置２は、印刷物が存在しない状態であることを示すステータス通知を操作パネル１３に表示する（ステップＳ５１２）。そしてステータス処理（ステップＳ５０）を終了する。尚、ステップＳ５１１及びＳ５１２における印刷物が存在しない状態であることを示すステータス通知は、行われないものとしても構わない。
【０１３９】
一方、ステップＳ５０１において、排紙トレイ６上に印刷物が存在する場合（ステップＳ５０１でＹＥＳ）、画像形成装置２は、状態Ａが「許可」又は「例外」であるか否かを確認する（ステップＳ５０２）。状態Ａが「許可」又は「例外」でない場合（ステップＳ５０２でＮＯ）、処理はステップＳ５０４に進む。一方、状態Ａが「許可」又は「例外」である場合（ステップＳ５０２でＹＥＳ）、機器５の表示部８又は操作パネル１３に表示されるステータス通知の内容を更新する（ステップＳ５０３）。この更新によって、ステータス通知は、第１のジョブに基づく印刷物が排紙トレイ６上に存在する状態であることを示すものになる。このとき、第１のジョブは実行可能であることや、第２及び第３のジョブの実行が規制されることや、第２及び第３のジョブに対する規制方法などを併せて示すステータス通知に更新されてもよい。
【０１４０】
次に、画像形成装置２は、状態Ｂが「許可」又は「例外」であるか否かを確認する（ステップＳ５０４）。状態Ｂが「許可」又は「例外」でない場合（ステップＳ５０４でＮＯ）、処理はステップＳ５０６に進む。一方、状態Ｂが「許可」又は「例外」である場合（ステップＳ５０４でＹＥＳ）、機器５の表示部８又は操作パネル１３に表示されるステータス通知の内容を更新する（ステップＳ５０５）。この更新によって、ステータス通知は、第２のジョブに基づく印刷物が排紙トレイ６上に存在する状態であることを示すものになる。このとき、第２のジョブは実行可能であることや、第１及び第３のジョブの実行が規制されることや、第１及び第３のジョブに対する規制方法などを併せて示すステータス通知に更新されてもよい。尚、例えばステップＳ５０３において、ステータス通知が第１のジョブに基づく印刷物が排紙トレイ６上に存在する状態であることを示すものに更新されている場合、ステータス通知は、第１のジョブに基づく印刷物及び第２のジョブに基づく印刷物が排紙トレイ６に存在することを示すものに更新される。
【０１４１】
次に、画像形成装置２は、状態Ｃが「許可」又は「例外」であるか否かを確認する（ステップＳ５０６）。状態Ｃが「許可」又は「例外」でない場合（ステップＳ５０６でＮＯ）、処理はステップＳ５０８に進む。一方、状態Ｃが「許可」又は「例外」である場合（ステップＳ５０６でＹＥＳ）、機器５の表示部８又は操作パネル１３に表示されるステータス通知の内容を更新する（ステップＳ５０７）。この更新によって、ステータス通知は、第３のジョブに基づく印刷物が排紙トレイ６上に存在する状態であることを示すものになる。このとき、第３のジョブは実行可能であることや、第１及び第２のジョブの実行が規制されることや、第１及び第２のジョブに対する規制方法などを併せて示すステータス通知に更新されてもよい。尚、例えばステップＳ５０３において、ステータス通知が第１のジョブに基づく印刷物が排紙トレイ６上に存在する状態であることを示すものに更新されている場合、ステータス通知は、第１のジョブに基づく印刷物及び第３のジョブに基づく印刷物が排紙トレイ６に存在することを示すものに更新される。
【０１４２】
そして画像形成装置２は、第１乃至第３のうちのいずれかのジョブに基づく印刷物が存在する状態であることを示すステータス通知を、第１及び第２のネットワーク３，４のそれぞれに接続される全ての機器５ａ，５ｂに送信する（ステップＳ５０８）。機器５ａ，５ｂは、受信したステータス通知を表示部８に表示する。図２０（ａ）は、機器５の表示部８に表示されるステータス通知の一例を示す図である。図２０（ａ）に示すようなステータス通知Ｇ６は、ステータス通知Ｇ６を受信した機器５の表示部８に表示される。例えば、ステータス通知Ｇ６は、第１のジョブに基づく印刷物が未回収であることを通知するメッセージＭ６を含む。さらに、ステータス通知Ｇ６は、第１のジョブは実行可能であることと、第２及び第３のジョブに対する規制方法とを通知するメッセージＭ７を含む。このようなステータス通知Ｇ６が第１及び第２のネットワーク３，４のそれぞれに接続される全ての機器５ａ，５ｂに送信されることで、ユーザーは、第１のジョブに基づく印刷物が未回収であることや、ジョブの実行規制の詳細について知ることができるのである。
【０１４３】
次に、画像形成装置２は、第１乃至第３のうちのいずれかのジョブに基づく印刷物が存在する状態であることを示すステータス通知Ｇ６を操作パネル１３に表示する（ステップＳ５０９）。図２０（ｂ）は、画像形成装置２の操作パネル１３に表示されるステータス通知Ｇ６の一例を示す図である。例えば、ステータス通知Ｇ６は、第１のジョブに基づく印刷物が未回収であることを通知するメッセージＭ６を含む。さらに、ステータス通知Ｇ６は、第１のジョブは実行可能であることと、第２及び第３のジョブに対する規制方法とを通知するメッセージＭ７を含む。このようなステータス通知Ｇ６が操作パネル１３に表示されることで、ユーザーは、第１のジョブに基づく印刷物が未回収であることや、ジョブの実行規制の詳細について知ることができるのである。画像形成装置２は、操作パネル１３にステータス通知Ｇ６を表示した後、ステータス処理（ステップＳ５０）を終了する。以上で、ステータス処理（ステップＳ５０）の説明を終了する。
【０１４４】
上述のように、画像形成装置２は、第１のネットワーク３及び第２のネットワーク４のうちの一方から受信したジョブに基づく印刷出力が開始された後、用紙検知センサ１４によって印刷物が未回収状態であることが検知されている期間において、第１のネットワーク３及び第２のネットワーク４のうちの他方から受信するジョブの実行を規制する構成である。このような画像形成装置２は、互いに異なる複数の組織による共有を可能としつつ、異なる組織のユーザーに印刷物が見られてしまうことを抑制することで、秘密情報が他のお組織のユーザーに流出してしまうことを防止することが可能である。
【０１４５】
尚、本実施形態では、第３のジョブに基づく印刷物が未回収状態である場合に、第１及び第２のネットワーク３，４のそれぞれに接続される全ての機器５に印刷物回収の催促を行う場合を例示した。しかし、これに限られるものではない。例えば、コピージョブを投入しようとするユーザーに対して、第１のネットワーク３のユーザーであるのか、第２のネットワーク４のユーザーであるのかを選択させる操作ボタンを操作パネル１３に表示させてもよい。すなわち、コピージョブを投入するユーザーに対して、第１及び第２の組織のいずれのユーザーであるのかを選択させる。このような操作ボタンが操作されて、コピージョブを投入したユーザーがどちらのネットワークのユーザーであるのかが判断できれば、第３のジョブに基づく印刷物が未回収状態である場合に、そのユーザーが利用するネットワークに接続される全ての機器５に対して印刷物回収の催促を行うようにできる。このようにコピージョブを投入したユーザーが属する組織が特定できれば、他の組織のユーザーに印刷物回収の催促を行わずに済み、他の組織のユーザーに印刷物が見られてしまう危険性を低減することが可能になる。
【０１４６】
（第２実施形態）
次に本発明の第２実施形態について説明する。本実施形態では、ユーザーが操作パネル１３を操作することによりコピージョブなどを投入する際に、ユーザー認証を行い、ユーザー及びユーザーが利用するネットワークを特定する画像形成装置２について説明する。
【０１４７】
図２１は、本実施形態の画像形成装置２のハードウェア構成及び機能構成の一例を示す図である。画像形成装置２は、そのハードウェア構成として、第１実施形態において説明した構成の他にカードリーダー１５を備えている。
【０１４８】
カードリーダー１５は、ユーザーの所持するＩＣカードからユーザーＩＤなどの認証情報を読み取る装置である。画像形成装置２は、カードリーダー１５によって読み取られる認証情報に基づいてユーザーを特定するための認証処理を行い、その認証処理によってユーザーを特定することができた場合に、操作パネル１３に対するユーザーの操作を受け付ける。このような認証処理を行うことにより、画像形成装置２は、コピージョブを実行するときに、第１のネットワーク３を利用する第１の組織と第２のネットワーク４を利用する第２の組織のうちのいずれの組織のユーザーによる操作であるかを把握することができる。カードリーダー１５は、そのような認証処理のための認証情報を取得するための装置であり、例えば操作パネル１３の近傍位置に配置される。
【０１４９】
記憶部１９は、第１実施形態において説明したプログラム及びデータに加えて、第１のユーザー情報３１と、第２のユーザー情報３２とが記憶されている。
【０１５０】
第１のユーザー情報３１は、例えば第１の組織のユーザーに関する情報を登録した情報である。例えば、第１のユーザー情報３１には、第１のネットワーク３を介して画像形成装置２を利用するユーザーのユーザーＩＤなどが予め登録される。図２２（ａ）は、第１のユーザー情報３１の一例を示す図である。第１のユーザー情報３１には、第１の組織に所属しているユーザーに関する情報であって、ユーザーＩＤ３１ａ、ＩＰアドレス３１ｂ、メールアドレス３１ｃ、出力枚数３１ｄなどの情報が予め登録された情報である。ユーザーＩＤ３１ａの欄には、ユーザーごとに付与されるユニークな識別情報が登録される。ＩＰアドレス３１ｂの欄には、各ユーザーが使用する機器５ａのＩＰアドレスが登録される。メールアドレス３１ｃの欄には、各ユーザーの電子メールアドレスが登録される。さらに、出力枚数３１ｄは、各ユーザーが画像形成装置２を使用して印刷出力した出力枚数が登録される。この出力枚数３１ｄは、例えばユーザーごとに、或いは、組織毎に課金を行うために利用される情報である。
【０１５１】
第２のユーザー情報３２は、例えば第２の組織のユーザーに関する情報を登録した情報である。例えば、第２のユーザー情報３２には、第２のネットワーク４を介して画像形成装置２を利用するユーザーのユーザーＩＤなどが予め登録される。図２２（ｂ）は、第２のユーザー情報３２の一例を示す図である。第２のユーザー情報３２には、第２の組織に所属しているユーザーに関する情報であって、ユーザーＩＤ３２ａ、ＩＰアドレス３２ｂ、メールアドレス３２ｃ、出力枚数３２ｄなどの情報が予め登録された情報である。ユーザーＩＤ３２ａの欄には、ユーザーごとに付与されるユニークな識別情報が登録される。ＩＰアドレス３２ｂの欄には、各ユーザーが使用する機器５ａのＩＰアドレスが登録される。メールアドレス３２ｃの欄には、各ユーザーの電子メールアドレスが登録される。さらに、出力枚数３２ｄは、各ユーザーが画像形成装置２を使用して印刷出力した出力枚数が登録される。この出力枚数３１ｄは、例えばユーザーごとに、或いは、組織毎に課金を行うために利用される情報である。
【０１５２】
対処設定情報３４は、第１実施形態で説明したように、排紙トレイ６上に印刷物が放置され、ジョブの実行が規制されている状態（規制状態）において、待機又は予約ジョブがある場合に参照される情報であり、早期に規制状態を解除するために画像形成装置２が行うべき処理が予め登録された情報である。本実施形態の対処設定情報３４は、印刷物が放置された状態となっているジョブ３４ａがコピージョブである場合の、第１の催促及び第２の催促が行われる対象として、コピージョブを投入したユーザーが所持する機器５又はコピージョブを投入したユーザーが利用するネットワークに接続される全ての機器５を設定可能である。本実施形態の画像形成装置２は、ユーザーが操作パネル１３を操作することによりコピージョブなどを投入する際に、ユーザー認証を行い、ユーザー及びユーザーが利用するネットワークを特定することが可能であるからである。
【０１５３】
次に、本実施形態の制御部２０の詳細について説明する。制御部２０が、ジョブ受付部２１、ユーザー特定部２２、規制部２３、通知生成部２４、通知送信部２５及びジョブ制御部２６として機能する点は、第１実施形態で説明した通りである。以下、本実施形態における、ジョブ受付部２１、ユーザー特定部２２、通知送信部２５及びジョブ制御部２６の詳細について説明する。
【０１５４】
ジョブ受付部２１は、第１実施形態で説明したように、画像形成装置２を使用するユーザーによって発行されるジョブを受け付ける処理部である。例えば、ユーザーが操作パネル１３を操作してコピージョブの実行を指示する場合、ユーザーは、自身が所持しているＩＣカードをカードリーダー１５にセットし、操作パネル１３に対して認証指示を行う。ジョブ受付部２１は、その認証指示に基づいてカードリーダー１５から認証情報を取得してユーザー認証を行う。このとき、ジョブ受付部２１は、第１のユーザー情報３１又は第２のユーザー情報３２を参照し、カードリーダー１５から取得した認証情報に一致するユーザーＩＤが第１のユーザー情報３１又は第２のユーザー情報３２に登録されているか否かを判断する。その結果、カードリーダー１５から取得した認証情報に一致するユーザーＩＤが第１のユーザー情報３１又は第２のユーザー情報３２に登録されていれば、認証成功と判断し、ジョブ受付部２１は、操作パネル１３に対するユーザーの操作に基づいてコピージョブを受け付ける。
【０１５５】
ジョブ制御部２６は、第１実施形態で説明したように、画像形成装置２におけるジョブの実行を制御する処理部である。本実施形態のジョブ制御部２６は、第１実施形態において説明した処理に加えて、プリンタ部１７によって１枚の印刷物が出力される度に、第１のユーザー情報３１又は第２のユーザー情報３２におけるジョブ投入ユーザーの出力枚数３１ｄ，３２ｄの値に１をインクリメントし、第１のユーザー情報３１又は第２のユーザー情報３２を更新する。これにより、画像形成装置２は、各組織の出力枚数を定期的に集計して各組織への課金処理を行うことができるようになる。
【０１５６】
ユーザー特定部２２は、第１実施形態で説明したように、ジョブ受付部２１によってジョブが受け付けられた場合に、そのジョブを投入したユーザーを特定する処理部である。また、ジョブ受付部２１が操作パネル１３に対する操作に基づいてコピージョブを受け付けた場合、本実施形態のユーザー特定部２２は、ジョブ受付部２１がカードリーダー１５から取得した情報に基づいてジョブを投入したユーザーを特定する。ユーザー特定部２２は、第１のユーザー情報３１又は第２のユーザー情報３２を参照することにより、ジョブを投入したユーザーが第１及び第２のネットワーク３，４のいずれのユーザーであるかを特定する。
【０１５７】
通知送信部２５は、第１実施形態で説明したように、通知生成部２４によって生成される通知や命令などを、ユーザーが所持する機器５へ送信する処理部である。本実施形態の通知送信部２５は、第１実施形態で説明した各通知を、コピージョブを投入したユーザーが所持する機器５や、コピージョブを投入したユーザーが利用するネットワークに接続される全ての機器５に送信することが可能である。
【０１５８】
このように本実施形態の画像形成装置２は、排紙トレイ６上にコピージョブに基づく印刷物が放置されている状態のとき、コピージョブを投入したユーザーや、コピージョブを投入したユーザーと同じ組織に属するユーザーに対し、印刷物回収の催促を行うことで早期に印刷物を回収させることができる。また、排紙トレイ６上にコピージョブに基づく印刷物が放置されている状態のとき、コピージョブを投入したユーザーが属する組織と異なる組織のユーザーに印刷物回収の催促を行わないため、印刷物を他の組織のユーザーに見られる危険性が低下する。また、コピージョブが予約ジョブとして受け付けられた場合に、コピージョブを投入したユーザーが所持する機器５に対して、第１実施形態で説明した注意通知Ｇ５や予約ジョブの実行通知を送信することが可能である。この場合、コピージョブを投入したユーザーが所持する機器５の表示部８に注意通知Ｇ５や実行通知が表示されるため、コピージョブを投入したユーザーは、予約ジョブとして受け付けられたコピージョブの実行完了を画像形成装置２の近傍で待つ必要がないという利点がある。
【０１５９】
また、本実施形態の画像形成装置２は、コピージョブを投入するユーザー及びコピージョブを投入するユーザーが利用するネットワークを特定する。すなわち、コピージョブを投入するユーザーが、第１及び第２の組織のいずれに所属するユーザーであるのかを特定することが可能である。そのため、例えば、第１のネットワーク３から受信するジョブに基づく印刷物が放置されている場合であっても、第１のネットワークを利用するユーザー、すなわち第１の組織に属するユーザーによって投入されるコピージョブの実行を規制しないようにすることができる。第１実施形態で説明した画像形成装置２は、第１のネットワーク３から受信するジョブ（第１のジョブ）に基づく印刷物が放置されている場合は、第２のネットワーク４から受信するジョブ（第２のジョブ）及びコピージョブ（第３のジョブ）の実行を規制する。すなわち、第１実施形態で説明した画像形成装置２は、第１乃至第３のジョブのうちのいずれかに基づく印刷物が放置されている場合に、他のジョブの実行を規制している。しかし、本実施形態の画像形成装置２は、各組織のユーザーが投入するジョブ毎にジョブの実行規制を行うことが可能である。例えば、第１の組織のユーザーによって投入されるプリントジョブ又はコピージョブに基づく印刷物が放置されている場合、画像形成装置２は、第２の組織のユーザーによって投入されるプリントジョブ及びコピージョブの実行を規制する。その一方で、第２の組織のユーザーによって投入されるジョブの実行が規制されている期間において、画像形成装置２は、第１の組織のユーザーによって投入されるプリントジョブ及びコピージョブを受け付けて実行することが可能である。
【０１６０】
このように、本実施形態の画像形成装置２は、一方の組織のユーザーによって出力された印刷物が排紙トレイ６上に放置されている状態のときには他方の組織のユーザーによって投入されるジョブの実行を規制する。ただし、画像形成装置２は、一方の組織のユーザーによって出力された印刷物が排紙トレイ６上に放置されている状態であっても、その一方の組織のユーザーによって投入されるジョブの実行は規制しない。したがって、一方の組織のユーザーによって出力された印刷物が排紙トレイ６上に放置されている状態のときには、その一方の組織のユーザーは、画像形成装置２に対して更に別のジョブを実行させることができる。このため、本実施形態の画像形成装置２は、互いに異なる複数の組織による共有を可能としつつ、異なる組織のユーザーに印刷物が見られてしまうことをより効率的に抑制できるのである。
【０１６１】
尚、本実施形態において、コピージョブを投入するユーザーの認証情報を取得する認証情報取得装置としてカードリーダー１５を備える画像形成装置２を例示した。しかし、これに限られるものではなく、認証情報取得装置は、指紋認証や静脈認証などの生体認証を行う装置であってもよい。また、ユーザーに操作パネル１３を操作させて認証情報を手動入力させるものであっても構わない。
【０１６２】
尚、本実施形態において上述した点以外については、第１実施形態で説明したものと同様である。そのため、本実施形態の画像形成装置２は、第１実施形態と同様の作用効果を奏するものである。
【０１６３】
（第３実施形態）
次に本発明の第３実施形態について説明する。図２３は、本実施形態における画像形成システム１のシステム全体の構成例を示す図である。この画像形成システム１は、オフィスなどにおけるネットワークシステムとして構成されるものである。画像形成システム１は、ＬＡＮなどの第１のネットワーク３と、ＬＡＮなどの第２のネットワーク４とが、ルーターなどのネットワーク接続装置７を介して接続された構成である。第１のネットワーク３は、ＭＦＰなどで構成される画像形成装置２と、パーソナルコンピュータ（ＰＣ）などで構成される複数の機器５ａとを備えている。また、第２のネットワーク４は、複数の機器５ｂを備えている。
【０１６４】
本実施形態の画像形成装置２は、単一の通信部１０に対して第１のネットワーク３が接続される。つまり、画像形成装置２は、第２のネットワーク４に接続される機器５ｂと、第１のネットワーク３及びネットワーク接続装置７を介して通信可能である。本実施形態の画像形成装置２は、プリントジョブを送信する機器５のＩＰアドレスに基づき、第１のネットワーク３及び第２のネットワーク４のうちのいずれのネットワークから送信されたプリントジョブであるかを判断する。そして第１のネットワーク３から受信するジョブに基づいて印刷出力を行う場合、画像形成装置２は、第２のネットワーク４から受信するジョブの実行を規制状態とする。これに対し、第２のネットワーク４から受信するジョブに基づいて印刷出力を行う場合、画像形成装置２は、第１のネットワーク３から受信するジョブの実行を規制状態とする。このように画像形成装置２は、ネットワーク接続装置７を介して複数のネットワーク３，４のそれぞれに接続されている機器５と通信を行うことが可能な構成であっても、一方のネットワークからジョブを受信した際には、他方のネットワークから受信するジョブの実行を規制することが可能であり、互いに異なる組織のユーザーに印刷物に印刷された秘密情報などが見られてしまうことを防止することができる。
【０１６５】
尚、本実施形態において上述した点以外については、第１実施形態又は第２実施形態で説明したものと同様である。そのため、本実施形態の画像形成装置２は、第１実施形態又は第２実施形態と同様の作用効果を奏するものである。
【０１６６】
（変形例）
以上、本発明に関する幾つかの実施形態について説明した。しかし、本発明は、上記各実施形態において説明した内容のものに限られるものではなく、種々の変形例が適用可能である。
【０１６７】
例えば、上記実施形態では、画像形成装置２は、ＭＦＰなどのように複数の機能を備える装置である場合を例示した。しかし、画像形成装置２は、少なくともプリント機能のみを備えるものであれば良い。
【０１６８】
また、上記実施形態では、画像形成システム１において、画像形成装置２が、第１のネットワーク３及び第２のネットワーク４に接続される場合を例示した。しかし、これに限られるものではなく、画像形成システム１は、画像形成装置２が更に他のネットワークと接続されるものであっても構わない。例えば、画像形成装置２が、３以上の複数のネットワークのうちのいずれかのネットワークから受信するジョブを受け付けて実行する場合、複数のネットワークのうちのいずれかのネットワークは、本発明の第１及び第２のネットワーク３，４のうちの一方に該当する。また、複数のネットワークのうちのその他のネットワークは、本発明の第１及び第２のネットワーク３，４のうちの他方に該当する。すなわち、本発明の画像形成装置２は、３以上の複数のネットワークのうちのいずれかのネットワークを介してジョブを受信し、そのジョブに基づく印刷出力を開始すると、その他のネットワークを介して受信するジョブの実行を規制することが可能である。したがって、本発明の画像形成装置２は、異なる３以上の組織のユーザーによって出力される複数の印刷物が排紙トレイ６上において混在した状態となることを抑制し、いずれかの組織のユーザーのために出力した印刷物がその他の組織のユーザーに見られてしまうことを防止するのである。
【０１６９】
また、上記実施形態では、プログラム３０が画像形成装置２に予めインストールされている場合を例示した。しかし、プログラム３０は、画像形成装置２に予めインストールされているものに限られず、それ単独で取引の対象となるものであっても構わない。この場合、プログラム３０は、インターネットなどを介してユーザー自身がダウンロードする形態で画像形成装置２に提供されるものであってもよいし、ＣＤ−ＲＯＭなどのコンピュータ読み取り可能な印刷媒体に記録された状態で画像形成装置２に提供されるものであっても構わない。
【符号の説明】
【０１７０】
１  画像形成システム
２  画像形成装置
３  第１のネットワーク
４  第２のネットワーク
５，５ａ，５ｂ  機器
１０  通信部（通信手段）
１１  第１の通信部（第１の通信手段）
１２  第２の通信部（第２の通信手段）
１３  操作パネル（表示手段）
１４  用紙検知センサ
１６  スキャナ部（原稿読取手段）
１７  プリンタ部（印刷手段）
２０  制御部（制御手段）
２３  規制部（制御手段）
３０  プログラム（プログラム）
【図１】
2020032573.tif 000003
【図２】
2020032573.tif 000004
【図３】
2020032573.tif 000005
【図４】
2020032573.tif 000006
【図５】
2020032573.tif 000007
【図６】
2020032573.tif 000008
【図７】
2020032573.tif 000009
【図８】
2020032573.tif 000010
【図９】
2020032573.tif 000011
【図１０】
2020032573.tif 000012
【図１１】
2020032573.tif 000013
【図１２】
2020032573.tif 000014
【図１３】
2020032573.tif 000015
【図１４】
2020032573.tif 000016
【図１５】
2020032573.tif 000017
【図１６】
2020032573.tif 000018
【図１７】
2020032573.tif 000019
【図１８】
2020032573.tif 000020
【図１９】
2020032573.tif 000021
【図２０】
2020032573.tif 000022
【図２１】
2020032573.tif 000023
【図２２】
2020032573.tif 000024
【図２３】
2020032573.tif 000025